(57)【要約】【課題】不正改造による発行或いは入金を実施した不審者の特定に役立てることができるようにすること。【解決手段】貨受付け貨幣の金額を識別する貨幣識別手段３２２と、遊技用記録媒体３７、３８の記録情報を読み出す読出し手段３２７と、前記受付け貨幣金額の範囲内の所定額に相当する遊技用価値の大きさを前記読出し手段３２７により読み出された前記遊技用価値特定情報により特定される遊技用価値の大きさに加算する価値加算手段３２７、３２８と、を有する遊技用装置３と、該遊技用装置３の操作者を、前記貨幣の受付けに基づいて撮像するための撮像装置３１８、３と、前記貨幣識別手段３２２により識別された受付け貨幣の金額が予め定められた所定額以上のときに、前記撮像装置３１８、３に対して当該貨幣の受付けに基づいて前記撮像装置３１８、３にて撮像された撮像画像を送信するための処理を行う画像送信処理手段１００と、該画像送信処理手段１００の処理に基づいて前記撮像装置３１８、３から送信されてきた撮像画像を記憶する記憶装置１００と、を備える。【選択図】    図１６
2004267598.tif 000002
【特許請求の範囲】
【請求項１】
貨幣を受付け該受付け貨幣の金額を識別する貨幣識別手段と、遊技に使用可能な遊技用価値の大きさを特定可能な遊技用価値特定情報が記録された遊技用記録媒体の記録情報を読み出す読出し手段と、前記貨幣識別手段により識別された受付け貨幣金額の範囲内の所定額に相当する遊技用価値の大きさを前記読出し手段により読み出された前記遊技用価値特定情報により特定される遊技用価値の大きさに加算する価値加算手段と、を有する遊技用装置と、
該遊技用装置の操作者を、該遊技用装置における貨幣の受付けに基づいて撮像するための撮像装置と、
前記貨幣識別手段により識別された受付け貨幣の金額が予め定められた所定額以上のときに、当該貨幣の受付けに基づいて前記撮像装置にて撮像された撮像画像を送信するための処理を行う画像送信処理手段と、
該画像送信処理手段による処理に基づいて前記撮像装置から送信されてきた撮像画像を記憶する記憶装置と、
を備えることを特徴とする遊技用システム。
【請求項２】
遊技に使用可能な遊技用価値の大きさを特定可能な遊技用価値特定情報が記録された遊技用記録媒体および貨幣を受付けて、該受付け貨幣金額の範囲内の所定額に相当する遊技用価値の大きさを前記遊技用記録媒体の遊技用価値特定情報より特定される遊技用価値の大きさに加算する価値加算処理を行う遊技用装置と、
該遊技用装置と通信可能であって、該遊技用装置における貨幣の受付けに関する情報を収集・管理する管理装置と、
前記遊技用装置の操作者を、前記遊技用装置における貨幣の受付けに基づいて撮像し、該撮像画像を前記管理装置に送信する撮像装置と、
を備え、
前記遊技用装置は、受付けた貨幣を識別し、受付け貨幣の金額を特定可能な情報を前記管理装置に送信する貨幣識別手段を有し、
前記管理装置は、
前記遊技用装置において受付けた受付け貨幣の金額と、該貨幣受付けに基づいて前記撮像装置から送信されてきた撮像画像とを含む貨幣受付け履歴を管理する貨幣受付け履歴管理手段と、
該貨幣受付け履歴に基づいて、受付け貨幣金額が予め定められた所定額以上である貨幣受付け履歴に対応して前記貨幣受付け履歴管理手段に管理されている撮像画像を抽出する抽出手段と、
を有することを特徴とする遊技用システム。
【請求項３】
遊技に使用可能な遊技用価値の大きさを特定可能な遊技用価値特定情報が記録された遊技用記録媒体および貨幣を受付けて、該受付け貨幣金額の範囲内の所定額に相当する遊技用価値の大きさを前記遊技用記録媒体の遊技用価値特定情報より特定される遊技用価値の大きさに加算する価値加算処理を行う遊技用装置と、
該遊技用装置と通信可能であって、該遊技用装置における貨幣の受付けに関する情報を収集・管理する管理装置と、
前記遊技用装置の操作者を、前記遊技用装置における貨幣の受付けに基づいて撮像し、該撮像画像を前記管理装置に送信する撮像装置と、
を備え、
前記遊技用装置は、受付けた貨幣を識別し、受付け貨幣の金額を特定可能な情報を前記管理装置に送信する貨幣識別手段を有し、
前記管理装置は、
前記貨幣識別手段から送信されてきた受付け貨幣の金額を特定可能な情報に基づいて特定される受付け貨幣金額が予め定められた所定額以上であるときに、前記撮像装置から送信されてきた当該貨幣受付けに基づいて撮像された撮像画像を記憶する画像記憶手段と、
を有することを特徴とする遊技用システム。
【請求項４】
貨幣を受付け該受付け貨幣の金額を識別する貨幣識別手段と、該貨幣識別手段により識別された受付け貨幣金額の範囲内の所定額に相当する遊技用価値の大きさを特定可能な遊技用価値特定情報が記録された遊技用記録媒体を発行する発行手段と、を有する遊技用装置と、
該遊技用装置の操作者を、前記遊技用装置における貨幣の受付けに基づいて撮像するための撮像装置と、
前記貨幣識別手段により識別された受付け貨幣の金額が予め定められた所定額以上のときに、当該貨幣の受付けに基づいて前記撮像装置にて撮像された撮像画像を送信するための処理を行う画像送信処理手段と、
該画像送信処理手段による処理に基づいて前記撮像装置から送信されてきた撮像画像を記憶する記憶装置と、
を備えることを特徴とする遊技用システム。
【請求項５】
貨幣を受付けて、該受付け貨幣金額の範囲内の所定額に相当する遊技用価値の大きさを特定可能な遊技用価値特定情報が記録された遊技用記録媒体を発行する発行処理を行う遊技用装置と、
該遊技用装置と通信可能であって、該遊技用装置における貨幣の受付けに関する情報を収集・管理する管理装置と、
前記遊技用装置の操作者を、前記遊技用装置における貨幣の受付けに基づいて撮像し、該撮像画像を前記管理装置に送信する撮像装置と、
を備え、
前記遊技用装置は、受付けた貨幣を識別し、受付け貨幣の金額を特定可能な情報を前記管理装置に送信する貨幣識別手段を有し、
前記管理装置は、
前記遊技用装置において受付けた受付け貨幣の金額と、該貨幣受付けに基づいて前記撮像装置から送信されてきた撮像画像とを含む貨幣受付け履歴を管理する貨幣受付け履歴管理手段と、
該貨幣受付け履歴に基づいて、受付け貨幣金額が予め定められた所定額以上である貨幣受付け履歴に対応して前記貨幣受付け履歴管理手段に管理されている撮像画像を抽出する抽出手段と、
を有することを特徴とする遊技用システム。
【請求項６】
貨幣を受付けて、該受付け貨幣金額の範囲内の所定額に相当する遊技用価値の大きさを特定可能な遊技用価値特定情報が記録された遊技用記録媒体を発行する発行処理を行う遊技用装置と、
該遊技用装置と通信可能であって、該遊技用装置における貨幣の受付けに関する情報を収集・管理する管理装置と、
前記遊技用装置の操作者を、前記遊技用装置における貨幣の受付けに基づいて撮像し、該撮像画像を前記管理装置に送信する撮像装置と、
を備え、
前記遊技用装置は、
受付けた貨幣を識別し、受付け貨幣の金額を特定可能な情報を前記管理装置に送信する貨幣識別手段を有し、
前記管理装置は、
前記貨幣識別手段から送信されてきた受付け貨幣の金額を特定可能な情報に基づいて特定される受付け貨幣金額が予め定められた所定額以上であるときに、前記撮像装置から送信されてきた当該貨幣受付けに基づいて撮像された撮像画像を記憶する画像記憶手段と、
を有することを特徴とする遊技用システム。
【請求項７】
前記撮像装置を前記遊技用装置に有する請求項１〜６のいずれかに記載の遊技用システム。
【請求項８】
前記画像送信処理手段は、前記貨幣識別手段により識別された受付け貨幣の金額が、予め設定された所定金額以上のときに、前記撮像装置に対して当該貨幣の受付けに基づいて撮像された撮像画像の送信を指示する請求項１または４に記載の遊技用システム。
【発明の詳細な説明】
【０００１】
【発明の属する技術の分野】
本発明は、プリペイドカードの発行や、或いは該プリペイドカードや会員カード等の遊技用記録媒体への価値加算（追加入金）が可能な遊技用システムにおいて、不正を実施している可能性のある不審者を撮像することで、該不審者の特定に役立てることができる遊技用システムに関する。
【０００２】
【従来の技術】
従来、プリペイドカードの発行時や、価値加算時における不正を監視するシステムとしては、プリペイドカードの発行等に関する情報をカードＩＤに対応付けて管理装置に記憶しておき、入金装置へのプリペイドカードの挿入時に、前記管理装置において該挿入されたプリペイドカードの正当性を残額等の情報から判断し、正当なものでなければ入金装置に設置した監視カメラで撮影を行うことにより不正の監視を行うものがある。また、偽札が挿入された場合も前記監視カメラによる撮影がなされるようになっている。（特許文献１）
【０００３】
【特許文献１】
特開２００１−２２４８１８号公報  （第１０頁〜第１１頁、第１５図）
【０００４】
【発明が解決しようとする課題】
しかしながら、これら前記した遊技用監視システムでは、カード発行機や入金機の貨幣識別装置や制御基板に対する不正改造により発行或いは入金がなされたプリペイドカードについては、プリペイドカードが正当なものと判断されてしまうため、不正を特定できないという問題があった。更には、偽貨幣が貨幣識別機にて偽貨幣と識別されなかった場合にも、該偽貨幣の使用者である不審者を特定できないという問題があった。
【０００５】
よって、本発明は上記した問題点に着目してなされたもので、カード発行機や入金機の貨幣識別機や制御基板に対する不正改造による発行或いは入金を実施した不審者の特定に役立てることができるとともに、貨幣識別機にて偽貨幣が識別されなかった場合でも、該偽貨幣の使用者である不審者の特定に役立てることのできる遊技用システムを提供することを目的としている。
【０００６】
【課題を解決するための手段】
前記した問題を解決するために、本発明の遊技用システムは、貨幣を受付け該受付け貨幣の金額を識別する貨幣識別手段と、遊技に使用可能な遊技用価値の大きさを特定可能な遊技用価値特定情報が記録された遊技用記録媒体の記録情報を読み出す読出し手段と、前記貨幣識別手段により識別された受付け貨幣金額の範囲内の所定額に相当する遊技用価値の大きさを前記読出し手段により読み出された前記遊技用価値特定情報により特定される遊技用価値の大きさに加算する価値加算手段と、を有する遊技用装置と、
該遊技用装置の操作者を、該遊技用装置における貨幣の受付けに基づいて撮像するための撮像装置と、
前記貨幣識別手段により識別された受付け貨幣の金額が予め定められた所定額以上のときに、当該貨幣の受付けに基づいて前記撮像装置にて撮像された撮像画像を送信するための処理を行う画像送信処理手段と、
該画像送信処理手段による処理に基づいて前記撮像装置から送信されてきた撮像画像を記憶する記憶装置と、
を備えることを特徴としている。
この特徴によれば、前記価値加算処理を行う遊技用装置にて予め定められた所定額以上の高額貨幣を使用した操作者の画像が、前記記憶装置に記憶されるので、不正な入金を行った不審者或いは偽貨幣を使用した不審者は、通常において高額の紙幣を使用することから、これらの不審者を含む高額貨幣利用者の画像が、撮像されて記憶装置に送信されて記憶されることで、これらの不審者の特定に役立てることができる。
【０００７】
本発明の遊技用システムは、遊技に使用可能な遊技用価値の大きさを特定可能な遊技用価値特定情報が記録された遊技用記録媒体および貨幣を受付けて、該受付け貨幣金額の範囲内の所定額に相当する遊技用価値の大きさを前記遊技用記録媒体の遊技用価値特定情報より特定される遊技用価値の大きさに加算する価値加算処理を行う遊技用装置と、
該遊技用装置と通信可能であって、該遊技用装置における貨幣の受付けに関する情報を収集・管理する管理装置と、
前記遊技用装置の操作者を、前記遊技用装置における貨幣の受付けに基づいて撮像し、該撮像画像を前記管理装置に送信する撮像装置と、
を備え、
前記遊技用装置は、受付けた貨幣を識別し、受付け貨幣の金額を特定可能な情報を前記管理装置に送信する貨幣識別手段を有し、
前記管理装置は、
前記遊技用装置において受付けた受付け貨幣の金額と、該貨幣受付けに基づいて前記撮像装置から送信されてきた撮像画像とを含む貨幣受付け履歴を管理する貨幣受付け履歴管理手段と、
該貨幣受付け履歴に基づいて、受付け貨幣金額が予め定められた所定額以上である貨幣受付け履歴に対応して前記貨幣受付け履歴管理手段に管理されている撮像画像を抽出する抽出手段と、
を有することを特徴としている。
この特徴によれば、前記価値加算処理を行う遊技用装置にて予め定められた所定額以上の高額貨幣を使用した操作者の画像が、前記価値加算処理履歴管理手段に記憶されている撮像画像の中から前記抽出手段により抽出されるので、不正な入金を行った不審者或いは偽貨幣を使用した不審者は、通常において高額の紙幣を使用することから、これらの不審者を含む高額貨幣利用者の画像が抽出されることで、これらの不審者の特定に役立てることができる。
【０００８】
本発明の遊技用システムは、遊技に使用可能な遊技用価値の大きさを特定可能な遊技用価値特定情報が記録された遊技用記録媒体および貨幣を受付けて、該受付け貨幣金額の範囲内の所定額に相当する遊技用価値の大きさを前記遊技用記録媒体の遊技用価値特定情報より特定される遊技用価値の大きさに加算する価値加算処理を行う遊技用装置と、
該遊技用装置と通信可能であって、該遊技用装置における貨幣の受付けに関する情報を収集・管理する管理装置と、
前記遊技用装置の操作者を、前記遊技用装置における貨幣の受付けに基づいて撮像し、該撮像画像を前記管理装置に送信する撮像装置と、
を備え、
前記遊技用装置は、
受付けた貨幣を識別し、受付け貨幣の金額を特定可能な情報を前記管理装置に送信する貨幣識別手段を有し、
前記管理装置は、
前記貨幣識別手段から送信されてきた受付け貨幣の金額を特定可能な情報に基づいて特定される受付け貨幣金額が予め定められた所定額以上であるときに、前記撮像装置から送信されてきた当該貨幣受付けに基づいて撮像された撮像画像を記憶する画像記憶手段と、
を有することを特徴としている。
この特徴によれば、前記価値加算処理を行う遊技用装置にて予め定められた所定額以上の高額貨幣を使用した操作者の画像のみが、前記画像記憶手段に記憶されるので、不正な入金を行った不審者或いは偽貨幣を使用した不審者は、通常において高額の紙幣を使用することから、これらの不審者を含む高額貨幣利用者の画像が、撮像されて管理装置に記憶されることで、これらの不審者の特定に役立てることができる。
【０００９】
本発明の遊技用システムは、貨幣を受付け該受付け貨幣の金額を識別する貨幣識別手段と、該貨幣識別手段により識別された受付け貨幣金額の範囲内の所定額に相当する遊技用価値の大きさを特定可能な遊技用価値特定情報が記録された遊技用記録媒体を発行する発行手段と、を有する遊技用装置と、
該遊技用装置の操作者を、前記遊技用装置における貨幣の受付けに基づいて撮像するための撮像装置と、
前記貨幣識別手段により識別された受付け貨幣の金額が予め定められた所定額以上のときに、当該貨幣の受付けに基づいて前記撮像装置にて撮像された撮像画像を送信するための処理を行う画像送信処理手段と、
該画像送信処理手段による処理に基づいて前記撮像装置から送信されてきた撮像画像を記憶する記憶装置と、
を備えることを特徴としている。
この特徴によれば、前記発行処理を行う遊技用装置にて予め定められた所定額以上の高額貨幣を使用した操作者の画像が、前記記憶装置に記憶されるので、不正な発行を行った不審者或いは偽貨幣を使用した不審者は、通常において高額の紙幣を使用することから、これらの不審者を含む高額貨幣利用者の画像が、撮像されて記憶装置に送信されて記憶されることで、これらの不審者の特定に役立てることができる。
【００１０】
本発明の遊技用システムは、貨幣を受付けて、該受付け貨幣金額の範囲内の所定額に相当する遊技用価値の大きさを特定可能な遊技用価値特定情報が記録された遊技用記録媒体を発行する発行処理を行う遊技用装置と、
該遊技用装置と通信可能であって、該遊技用装置における貨幣の受付けに関する情報を収集・管理する管理装置と、
前記遊技用装置の操作者を、前記遊技用装置における貨幣の受付けに基づいて撮像し、該撮像画像を前記管理装置に送信する撮像装置と、
を備え、
前記遊技用装置は、受付けた貨幣を識別し、受付け貨幣の金額を特定可能な情報を前記管理装置に送信する貨幣識別手段を有し、
前記管理装置は、
前記遊技用装置において受付けた受付け貨幣の金額と、該貨幣受付けに基づいて前記撮像装置から送信されてきた撮像画像とを含む貨幣受付け履歴を管理する貨幣受付け履歴管理手段と、
該貨幣受付け履歴に基づいて、受付け貨幣金額が予め定められた所定額以上である貨幣受付け履歴に対応して前記貨幣受付け履歴管理手段に管理されている撮像画像を抽出する抽出手段と、
を有することを特徴としている。
この特徴によれば、前記発行処理を行う遊技用装置にて予め定められた所定額以上の高額貨幣を使用した操作者の画像が、前記価値加算処理履歴管理手段に記憶されている撮像画像の中から前記抽出手段により抽出されるので、不正な発行を行った不審者或いは偽貨幣を使用した不審者は、通常において高額の紙幣を使用することから、これらの不審者を含む高額貨幣利用者が撮像されることで、これらの不審者の特定に役立てることができる。
【００１１】
本発明の遊技用システムは、貨幣を受付けて、該受付け貨幣金額の範囲内の所定額に相当する遊技用価値の大きさを特定可能な遊技用価値特定情報が記録された遊技用記録媒体を発行する発行処理を行う遊技用装置と、
該遊技用装置と通信可能であって、該遊技用装置における貨幣の受付けに関する情報を収集・管理する管理装置と、
前記遊技用装置の操作者を、前記遊技用装置における貨幣の受付けに基づいて撮像し、該撮像画像を前記管理装置に送信する撮像装置と、
を備え、
前記遊技用装置は、
受付けた貨幣を識別し、受付け貨幣の金額を特定可能な情報を前記管理装置に送信する貨幣識別手段を有し、
前記管理装置は、
前記貨幣識別手段から送信されてきた受付け貨幣の金額を特定可能な情報に基づいて特定される受付け貨幣金額が予め定められた所定額以上であるときに、前記撮像装置から送信されてきた当該貨幣受付けに基づいて撮像された撮像画像を記憶する画像記憶手段と、
を有することを特徴としている。
この特徴によれば、前記発行処理を行う遊技用装置にて予め定められた所定額以上の高額貨幣を使用した操作者の画像のみが、前記画像記憶手段に記憶されるので、不正な発行を行った不審者或いは偽貨幣を使用した不審者は、通常において高額の紙幣を使用することから、これらの不審者を含む高額貨幣利用者の画像が、撮像されて管理装置に記憶されることで、これらの不審者の特定に役立てることができる。
【００１２】
本発明の遊技用システムは、前記撮像装置を前記遊技用装置に有することが好ましい。
このようにすれば、遊技場に既設の監視カメラにて撮像する場合等に比べ、撮像対象者を近くから確実かつ鮮明に撮像できる。
【００１３】
本発明の遊技用システムの前記画像送信処理手段は、前記貨幣識別手段により識別された受付け貨幣の金額が、予め設定された所定金額以上のときに、前記撮像装置に対して当該貨幣の受付けに基づいて撮像された撮像画像の送信を指示することが好ましい。
このようにすれば、前記撮像装置にて撮像された撮像データを確実に前記記憶装置に記憶することができる。
【００１４】
【発明の実施の形態】
以下、図面に基づいて本発明の実施形態を説明する。尚、以下の実施例においては、遊技機として遊技媒体であるパチンコ玉が払い出される通常のパチンコ機を用いた例を示すが、本発明はこれに限定されるものではなく、その他の遊技機、例えばパチンコ玉が指触不能に封入された封入式パチンコ機や、遊技媒体としてコインやパチンコ玉を使用するスロットマシン、更には完全クレジット式のスロットマシン等の遊技機においても適用可能である。
【００１５】
尚、本発明の請求項１、請求項４は実施例１に対応し、本発明の請求項２、請求項５は実施例２に対応し、本発明の請求項３、請求項６は実施例３に対応している。
【００１６】
（実施例１）
図１は、本実施例１における管理装置としてのシステムコントローラ１００と、遊技用記録媒体である会員カード３７に関する情報を管理する会員管理コンピュータ（ＣＰ）１２０と、該会員カード３７およびビジターカード３８への価値加算処理機能を有するとともに、該会員カード３７およびビジターカード３８に残存する遊技用価値である度数を遊技に使用させるための使用処理を行う遊技用装置としてのカードユニット３と、会員カード３７およびビジターカード３８への価値加算処理を行う遊技用装置としての入金装置２１と、ビジターカード３８を発行する遊技用装置であるカード発行機２３と、これら会員カード３７並びにビジターカード３８の精算を行う精算装置２２と、を有する遊技用システムの構成を示す図である。
【００１７】
この本実施例１の遊技用システムは、遊技場において複数配置された遊技島に並設される遊技機であるカードリーダ式パチンコ機（以下パチンコ機）２と、該パチンコ機２に対して１対１に対応設置される前記遊技用装置であるカードユニット３と、遊技場内の所定箇所に設置され、前記カードユニット３にて使用される遊技用記録媒体である後述の会員カード３７及びビジターカード３８に対し、受付けた貨幣金額に該当する遊技用価値の大きさである度数を付与する価値加算処理を行う遊技用装置である入金装置２１と、会員カード３７を所持しない一般の遊技者にプリペイドカードであるビジターカード３８を発行する遊技用装置であるカード発行機２３と、該ビジターカード３８や前記会員カード３７に残存する遊技用価値である度数を現金に精算する精算処理を行う精算装置２２と、前記カードユニット３が不良となった際に、該不良のカードユニット３と交換するための予備のカードユニット３を収納されたカードユニットストッカ２０と、前記カードユニット３にて使用される後述の会員カード３７並びにビジターカード３８の管理等を行う管理装置としてのシステムコントローラ１００と、前記会員カード３７を所持する会員遊技者に関する情報を管理する会員管理コンピュータ１２０と、から主に構成されており、前記システムコントローラ１００、会員管理コンピュータ１２０、カードユニット３、カードユニットストッカ２０、カード発行機２３、入金装置２１並びに精算装置２２とはハブ（ＨＵＢ）７並びに中継器６並びに通信ケーブル８を介して双方向のデータ通信可能に接続されていて、各接続機器にはそれぞれローカルＩＰアドレスが付与されてローカルエリアネットワーク（ＬＡＮ）が形成されている。また、前記システムコントローラ１００と会員管理コンピュータ１２０とは個別の通信ケーブル１０を介して比較的高速のデータ通信を実施可能に接続されている。
【００１８】
また、前記システムコントローラ１００は、通信回線１１を介してカード管理会社に設置された管理サーバ１２と双方向のデータ通信を実施できるように接続されていて、カード管理会社は、該管理サーバ１２にて各遊技場の会員カード３７並びにビジターカード３８による売上や、システムコントローラ１００並びにカードユニット３のエラー状況等を把握できるようになっている。
【００１９】
初めに、本実施例１にて前記遊技用記録媒体である会員カード３７、並びにビジターカード３８に用いた各記録媒体について説明すると、本実施例１では図２（ａ）（ｂ）に示すように、予め会員登録をした会員遊技者に対して発行される会員カード３７と、会員カード３７を所持しない遊技者に発行されるビジターカード３８と、の２種類のＩＣカードを用いている。
【００２０】
まず、本実施例１に用いた会員カード３７について説明すると、該会員カード３７には、図２（ａ）に示すように、略長方形のカード型に形成されているとともに、その中央位置に、非接触にて記録データの入出力（送受信）を行うための円形状とされたアンテナコイル８３と、記録データを電気的に書き換え可能に記憶する集積回路（ＩＣ）８４とが設けられており、これら会員カード３７は、前記カードユニット３内に設けられている後述するカードリーダライタ３２７に挿入されることで、該カードリーダライタ３２７から出力される電磁波が前記アンテナコイル８３に誘導起電力を生じさせて前記集積回路８４が動作可能に付勢されるとともに、前記アンテナコイル８３を介して前記カードリーダライタ３２７との各種のデータ送受を電磁波により非接触にて実施可能とされている。
【００２１】
また、これら会員カード３７における集積回路８４の内部メモリには、各会員カード３７を個別に識別可能なカードＩＤや、各会員を識別可能な遊技者特定情報としての会員ＩＤ、当該会員カード３７が発行された発行店等の情報が書き換え不可に記録されているとともに、前記カードリーダライタ３２７とのデータ通信により、後述する入金処理の際に付与される遊技用価値特定情報としてのプリペイドＩＤや度数データや、最後に入金処理がなされたカードユニット３（入金装置）の装置ＩＤ、当該会員カード３７を所持する会員の氏名（名字及び名前）や性別、年齢、誕生日、職業等、当該会員カードを所持する会員遊技者に関する会員帰属情報等の情報が書き換え可能に記録されている。
【００２２】
この本実施例１の会員カード３７の一面には、図２（ａ）に示すように、バーコード８５が印刷されており、該バーコード８５に前記会員ＩＤが記録されていて、該バーコード８５を読み取ることで、前記集積回路８４との通信を行うことなく、会員ＩＤを自動的に読み取ることができるようになっている。
【００２３】
次いで、本実施例１にて用いたビジターカード３８について説明すると、該ビジターカード３８には、図２（ｂ）に示すように、前記会員カード３７と同一の大きさのカード状とされており、その略中央部には、前記会員カード３７におけるアンテナコイル８３並びに集積回路８４と同一構成とされたアンテナコイル９１並びに集積回路９２が設けられた非接触ＩＣカードを使用しており、前記会員カード３７同様にカードリーダライタ３２７との各種のデータ送受を電磁波により非接触にて実施可能とされているが、前記会員カード３７に設けられている会員ＩＤが記録されたバーコード８５が設けられていない構成とされている。
【００２４】
また、これらビジターカード３８における集積回路９２の内部メモリには、各ビジターカード３８を個別に識別可能なシリアル番号やカードＩＤ並びに当該ビジターカード３８が使用される使用店等が書き換え不可に記録されているとともに、前記カード発行機２３における発行処理時やカードユニット３（入金装置）における入金処理時に付与される遊技用価値特定情報としてのプリペイドカードＩＤや度数データや、該カード発行機２３の装置ＩＤ、並びに書き換え回数情報等の情報等が書き換え可能に記録される。
【００２５】
次いで、本実施例１に用いた遊技機であるパチンコ機２について簡単に説明すると、該パチンコ機２は、図３に示すように、額縁状に形成されたガラス扉枠２０２を有し、該ガラス扉枠２０２の下部表面には打球供給皿２０３がある。打球供給皿２０３の上面所定箇所には、操作部１４が設けられているとともに、打球供給皿２０３の下部には、打球供給皿２０３から溢れた景品玉を貯留する余剰玉受皿２０４と打球を発射する打球操作ハンドル（以下操作ノブ）２０５とが設けられている。
【００２６】
このパチンコ機２が設置される遊技島内には、該遊技島の下部位置に各パチンコ機２より排出されたパチンコ球を収集可能となるように遊技島を横断するように配置された下部タンク（図示略）と、遊技島上部位置に該遊技島に並設された各パチンコ機２へパチンコ球を供給可能となるように遊技島を横断するように配置された供給樋（図示略）と、前記下部タンクに収集、貯留されているパチンコ球を下部タンクより供給樋へと揚送する揚送装置（図示略）と、が設けられているとともに、図３に示すように、遊技島の前記パチンコ機２の上方位置には、パチンコ機２の裏面上部位置に設けられている上部タンク（図示略）に前記供給樋により供給されたパチンコ球を補給するための分流樋２７が設けられ、且つ前記遊技島内の該パチンコ機２の下方位置には、該パチンコ機２にて遊技に使用されたパチンコ球が排出され、該排出されたパチンコ球が前記下部タンクへと排出されるアウト球タンク２５が設けられていて、前記分流樋２７よりパチンコ球が供給されてパチンコ機２において賞球や貸出球に使用されるとともに、遊技に使用されたパチンコ球が前記アウト球タンク２５を通じて下部タンクに排出されて収集され、再度遊技島上部の前記供給樋に揚送されて循環使用されるようになっている。
【００２７】
前記分流樋２７にはパチンコ機２に補給されるパチンコ球（補給球数）を計数するための補給球計数器２４が設けられているとともに、前記アウト球タンク２５から下部タンクへの排出流路にはパチンコ機２より排出されたアウト球を計数するためのアウト球計数器２６が設けられていて、これら補給球計数器２４並びにアウト球計数器２６は、前記カードユニット３内に内蔵されている後述する制御ユニット３２８に接続されており、補給球計数器２４並びにアウト球計数器２６より出力された計数信号が前記制御ユニット３２８に入力することで、制御ユニット３２８にて対応するパチンコ機２への補給球数並びに遊技に使用されたアウト球数を計数することができるようになっている。
【００２８】
前記操作部１４の上面には、図４に示すように、前記カードユニット３において前記会員カード３７或いはビジターカード３８より読み出された度数が表示される度数表示部１７と、遊技の開始または前記打球供給皿２０３に持玉が少なくなったか或いは無くなった際に押圧操作されることで、前記度数表示部１７に度数が存在する場合に所定数量のパチンコ玉の貸出がパチンコ機２より実施される貸出ボタン１６と、遊技の終了時にて前記カードユニット３に受付中の会員カード３７を返却させるための返却ボタン１５と、が設けられており、これら各部は操作部１４内部に設けられている操作基板１８上に実装されている。
【００２９】
前記ガラス扉枠２０２の後方には、図３に示すように、遊技盤２０６が着脱可能に取付けられている。また、遊技盤２０６の前面には遊技領域２０７が設けられている。この遊技領域２０７の中央付近には、「特別図柄」と呼ばれる複数種類の識別情報が可変表示される可変表示部２０９と、「普通図柄」と呼ばれる複数種類の識別情報が可変表示される可変表示装置２１０とが設けられている。また遊技盤２０６には、複数の入賞口２２４や通過ゲート２１１、始動入賞口２１４、可変入賞球装置２１６が設けられているとともに、遊技領域２０７の下部には、入賞しなかった打込玉を回収するアウト口２２６が形成されている。
【００３０】
前記打球操作ノブ２０５の操作によって揺動されるハンマー（図示略）によって発射された打玉は、打球レールを通って遊技領域２０７に入り、その後、遊技領域２０７を流下していく。この際、発射勢いが弱すぎて前記遊技領域２０７に達しなかったパチンコ玉は、環流経路（図示略）を通じて前記余剰玉受皿２０４に環流されるようになっている。
【００３１】
また、前記遊技領域２０７に打ち込まれた打込玉が通過ゲート２１１を通過すると、可変表示装置２１０に停止表示されている普通図柄が可変開始する。
【００３２】
可変表示装置２１０の可変表示動作後の表示結果が予め定められた特定の表示結果（たとえば７）となった場合に、始動入賞口２１４に設けられた可動片２１５が所定時間開成して遊技者にとって有利な状態となる。
【００３３】
また、始動入賞口２１４にパチンコ玉が入賞すると、可変表示部２０９において全特別図柄が可変表示（変動表示）を開始する。そして、その後、左、中、右の特別図柄が停止し、その停止表示結果が予め定められた特定の表示態様（たとえば７７７）となった場合に、特定遊技状態（大当り状態）が発生する。このように大当り状態が発生した場合には、可変入賞球装置２１６に設けられた開閉板２２０が開成して遊技者にとって有利な第１の状態となる。この第１の状態は、所定期間（たとえば３０秒間）の経過または打玉の所定個数（たとえば１０個）の入賞のうちいずれか早い方の条件が成立することにより終了し、その後、遊技者にとって不利な第２の状態となる。第１の状態となっている可変入賞球装置２１６の大入賞口内に進入した打玉が特定入賞領域（Ｖポケット）に入賞して図示しないＶカウントスイッチにより検出されれば、その回の第１の状態の終了を待って前記第２の状態から前記第１の状態に制御する繰返し継続制御が行なわれる。この繰返し継続制御の上限回数は例えば１５回と定められている。
【００３４】
また、前記可変表示部２０９で可変表示された左、中、右の特別図柄が同じ図柄の種類に一致した大当り図柄の組合せで停止表示されたときには前述したように大当りが発生するが、これら大当り図柄に停止表示される以前の状態において、リーチ状態が発生する場合がある。ここで、「リーチ状態」とは、可変表示部２０９が可変開始された後、表示制御が進行して表示結果が導出表示される前段階にまで達した時点でも、特定の表示態様となる表示条件から外れていない表示態様をいう。例えば、前記特定の表示態様の組合せが揃った状態を維持しながら複数の前記可変表示部２０９による可変表示を行う状態もリーチ表示状態に含まれる。更にリーチの中には、それが出現すると、通常のリーチ（ノーマルリーチ）に比べて、大当りが発生しやすいものがある。このようなリーチをスーパーリーチという。更にリーチの中には、相当な低確率ではあるが、それが出現すると、ほぼ確実に大当りが発生するものがある。このようなリーチをプレミアムリーチといい、これらプレミアムリーチの発生に伴って該発生が後述するように外部に出力される。
【００３５】
これらパチンコ機２の構成を図６に基づいて説明すると、該パチンコ機２には、前記可変表示部２０９の表示制御を行う表示制御基板２８０と、図示しない玉タンクに供給されたパチンコ玉の払出を実施する玉払出装置２９７に接続され、後述の遊技制御基板２３１から出力される賞球信号並びにカードユニット３より入出力される各種信号に基づきパチンコ玉の払出制御を行う賞球制御基板２３７と、遊技効果ランプ等の制御を実施するランプ制御基板２３５と、スピーカから出力される音声の制御を行う音声制御基板２７０と、前記打球操作ハンドル２０５の操作に基づき打球供給皿２０３に払い出されたパチンコ玉を遊技領域２０７に発射する打球発射装置の制御を行う発射制御基板２９１と、これら各部の制御を実施する遊技制御基板２３１と、が設けられており、これらは図６に示すように接続され、前述の打球供給皿２０３に払い出されたパチンコ玉を使用して遊技を実施できるようになっている。
【００３６】
また、前記賞球制御基板２３７は、前記カードユニット３の制御ユニット３２８（図６参照）に信号ケーブル９を介して接続されており、後述の台端末貸出完了信号（ＥＸＳ）や台ＲＥＡＤＹ信号（ＰＲＤＹ）が前記カードユニット３の制御ユニット３２８に出力されるようになっているとともに、前記カードユニット３の制御ユニット３２８より出力される後述のカードユニットＲＥＡＤＹ信号（ＢＲＤＹ）や台端末貸出要求完了確認信号（ＢＲＱ）が入力されるようになっている。
【００３７】
また、前記遊技制御基板２３１は、パチンコ機２における遊技情報を外部出力するための情報出力部２９８に接続されており、該遊技制御基板２３１より出力された大当り信号や始動信号、前述したプレミアムリーチが発生した場合に出力されるプレミアムリーチ発生信号等の入力に基づく大当り情報や始動情報、プレミアム発生情報等の各種遊技情報を、前記情報出力部２９８を介して前記カードユニット３に出力するようになっている。
【００３８】
また、前記操作基板１８は、前述の賞球制御基板２３７並びに信号ケーブル９を介してカードユニット３に接続されており、前記貸出ボタン１６が操作されて遊技者による玉貸し操作がなされた場合に出力される貸出入力信号や、返却ボタン１５が操作された場合に出力される返却入力信号が、前記カードユニット３の制御ユニット３２８に出力されるようになっているとともに、該制御ユニット３２８より出力される前記度数表示部１７の度数表示信号が入力されることで該度数表示部１７に該度数表示信号に基づく度数が表示されるようになっている。
【００３９】
次に、本実施例１の遊技用装置としてのカードユニット３について説明すると、該カードユニット３の前面には、図３に示すように、その最上部位置に該カードユニット３の動作やシステムコントローラ１００並びに会員管理コンピュータ１２０との通信状態を点灯色の違いにより報知する動作ランプ３０１が設けられており、遊技場の係員等がカードユニット３内部やシステムコントローラ１００並びに会員管理コンピュータ１２０との通信状態の不具合の発生を知覚できるようになっている。
【００４０】
具体的には、本実施例１では前記動作ランプ３０１内部に３原色であるＲＧＢ光の各色の発光が可能なＬＥＤモジュールを内在しており、これらＲＧＢ光の発光を制御することで、前記動作ランプ３０１の発光色を可変できるようになっていて、本実施例１では、前記システムコントローラ１００並びに会員管理コンピュータ１２０との通信状態がオンラインである場合には白色点灯状態となり、システムコントローラ１００との通信状況がオフライン状態である場合には、赤色の点灯状態となり、システムコントローラ１００との通信状況がオフライン状態である場合には、青色の点灯状態となるように点灯制御される。
【００４１】
この動作ランプ３０１の下方位置には、紙幣を挿入可能とされた紙幣挿入口３０２と、硬貨が投入可能とされた硬貨投入口３０３と、投入した硬貨の返却を実施する硬貨返却ボタン３０４とが設けられていて、遊技者は貨幣として硬貨並びに紙幣を投入できるようになっている。
【００４２】
これら各投入口３０２，３０３並びに返却ボタン３０４の下方位置には、紙幣や硬貨の受付けに基づいて、当該紙幣（硬貨）を投入した者を撮像するための撮像装置としてのＣＣＤカメラ３１８が設けられている。
【００４３】
このように、本実施例１においては、撮像装置であるＣＣＤカメラ３１８をカードユニット３に直接設けるようにしており、このようにすることは、遊技場内に既設された監視カメラ等にて操作者を撮像する場合等に比べ、撮像象者をより正面側から確実かつ鮮明に撮像できることから好ましいが、本発明はこれに限定されるものではなく、これら撮像装置を遊技場内に既設された監視カメラにて実施したり、遊技島の所定の場所に、カードユニット３に対応して設けるようにしても良い。
【００４４】
また、該ＣＣＤカメラ３１８の下方位置には、後述するオフライン時における会員カード３７並びにビジターカード３８の受付けが不可であることを報知するためのカード利用可ランプ３０５と、前記貸出単位を変更するための貸出単位変更ボタン３０６と、前記貸出単位等が表示される貸出単位表示部３０７と、後述の度数表示部３０９の表示内容を度数の端数表示等に変更表示させるための端数ボタン３０８と、前記会員カード３７やビジターカード３８から読み出された度数等が表示される度数表示部３０９と、対応する遊技機の機種を点灯により示す機種設定ランプ３１０と、対応する遊技機の連結方向を示す方向指示ランプ３１１と、後述するカードリーダライタ３２７に会員カード３７或いはビジターカード３８が挿入中である旨を示す挿入中ランプ３１２と、挿入された会員カード３７を所持する会員がイベント対象者である旨を点灯により報知するイベント対象者ランプ３３５と、を有する操作パネルが設けられており、遊技者が各種操作を実施可能とされている。
【００４５】
この操作パネルの下部位置には、前記硬貨返却ボタン３０４が操作された場合等に硬貨が返却される硬貨返却口３１３並びに該硬貨返却口３１３を下方から覆うように突設形成され、該硬貨返却口３１３より排出された硬貨の落下を防止する受部３１３’が設けられている。
【００４６】
この硬貨返却口３１３の更に下方位置には、受付中の会員カード３７から特定される貯蓄玉数に基づく再プレイ可能回数等が表示される会員カード用表示部３１４と、暗証番号等の入力を行うテンキー３１５と、該テンキー３１５にて入力した暗証番号を決定する場合や前記貯蓄玉数のうちの所定の玉数払戻を実施するためのエンターキー３１７と、会員カード３７を受付け時において該会員カードに記録された度数を用いて遊技を実施するか、若しくは該会員カード３７の会員ＩＤにより特定される貯蓄玉数を用いて遊技を実施するかを選択するプレイ選択ボタン３１６とが設けられた会員操作パネルが設けられており、会員遊技者が会員カード３７を挿入することで操作を実施できるようになっている。
【００４７】
また、該会員操作パネルの下方には、前記会員カード３７並びにビジターカード３８を挿入するカード挿入口３１９が設けられている。
【００４８】
この本実施例１に用いたカードユニット３の構成を図５並びに図６に基づいて説明すると、該カードユニット３には、最上部前面位置に設けられている前記動作ランプ３０１が接続されるとともに、前記カード利用可ランプ３０５や貸出単位変更ボタン３０６、貸出単位表示部３０７、端数ボタン３０８、度数表示部３０９、機種設定ランプ３１０、方向指示ランプ３１１、挿入中ランプ３１２、イベント対象者ランプ３３５、前記貸出単位表示部３０７や度数表示部３０９の表示ドライバ（図示略）等が実装され、これら各部と後述する制御ユニット３２８との制御信号の入出力等が行われる第１操作基板３２０と、前記会員カード用表示部３１４やテンキー３１５、プレイ選択ボタン３１６、エンターキー３１７、前記会員カード用表示部３１４の表示ドライバ（図示略）等が実装され、これら各部と前記制御ユニット３２８との制御信号の入出力等が行われる第２操作基板３２１とが、設けられており、これら第１操作基板３２０並びに第２操作基板３２１は、カードユニット３の前面パネルに沿って配置されている。
【００４９】
また、装置内の上部位置には、前記紙幣挿入口３０２に連設され、該紙幣挿入口３０２に投入された紙幣を取り込んでその真贋や紙幣種別の識別を実施し、その識別結果を装置中央部に設けられている後述の制御ユニット３２８に出力する貨幣識別手段としての紙幣識別ユニット３２２が設けられているとともに、その下方位置には、前記硬貨投入口３０３に硬貨投入路３２３を介して連設され、該硬貨投入口３０３より投入された硬貨（本実施例１では１００円硬貨と５００円硬貨）の真贋並びに硬貨種別の識別を実施し、その識別結果を後述の制御ユニット３２８に出力する貨幣識別手段としての硬貨識別ユニット３２４とが設けられており、これら両識別ユニット３２２、３２４を内在することにより、各種紙幣（１万円、５千円、２千円、千円の各紙幣）並びに各種硬貨（１００円硬貨、５００円硬貨）の受付が可能とされている。
【００５０】
また、カードユニット３の下方位置には、前記カード挿入口３１９に連設するように配置され、これらカード挿入口３１９に挿入されて受付けた会員カード３７やビジターカード３８の前記集積回路（ＩＣ）８４，９２に記録されている記録情報の読み出し並びに書き込み等を行うカードリーダライタ３２７が設けられている。
【００５１】
このカードリーダライタ３２７の内部には、前記会員カード３７並びにビジターカード３８とのデータ送受を行う通信基板３２７ａと、該カードリーダライタ３２７の制御を行うコントローラ等が実装された制御基板３２７ｂと、が設けられており、図６に示すように、前記制御基板３２７ｂは、ハブ７並びに通信ケーブル８を介して前記システムコントローラ１００に接続され、システムコントローラ１００とのデータ通信を実施可能とされている。
【００５２】
また、前記制御基板３２７ｂは、カードリーダライタ３２７が搭載されたカードユニット３の制御ユニット３２８にも接続されており、該制御ユニット３２８との各種データの送受が実施可能とされている。
【００５３】
また、カードユニット３の略中央部位置には、貨幣識別手段である前記紙幣識別ユニット３２２や硬貨識別ユニット３２４や、カードリーダライタ３２７に接続され、これら紙幣識別ユニット３２２並びに硬貨識別ユニット３２４との各種信号の入出力を行うＩ／Ｏポート３３２ａや、前記カードリーダライタ３２７に接続され、該カードユニット３との各種データの送受を行うためのＩ／Ｏポート３３２ｄ、前記第１操作基板３２０並びに前記第２操作基板３２１に接続されて各種信号の入出力を行うＩ／Ｏポート３３２ｂ、前記パチンコ機２の賞球制御基板２３７や操作基板１８との各種信号の入出力を行うＩ／Ｏポート３３２ｃ、前記ＣＣＤカメラ３１８との各種信号の入出力を行うＩ／Ｏポート３３２ｅ、前記ハブ７並びに通信ケーブル８を介して会員管理コンピュータ１２０とのデータ通信を行うための通信部３３４、対応するパチンコ機２の上方位置に設置された外部機器としての呼出ランプ４（図３参照）に接続され、該呼出ランプ４に対して該呼出ランプ４を点灯させるための点灯指示信号を出力するとともに、前記補給球計数器２４並びにアウト球計数器２６より出力された計数信号や前記パチンコ機２の情報出力部２９８から出力される大当り情報やプレミアム発生情報等の各種遊技情報（オプション情報）の出力を受付けるデータ入出力部３３６、これらカードユニット３を構成する各部の制御や前記操作基板１８に実装された度数表示部１７の制御等を行うＭＰＵ３２９、ワークメモリ等として使用されるＲＡＭ３３０、前記ＭＰＵ３２９が実行する制御内容が記述された制御プログラム等が記憶されたＲＯＭ３３１等が設けられた制御ユニット３２８を内蔵しており、これら各部は図６に示すように接続されていて、前記ＭＰＵ３２９が実行する制御プログラムにより、カードユニット３を構成する各部の動作が制御される。
【００５４】
本実施例１のカードユニット３は、図５に示すように、カードユニット３本体とその上下位置に形成されたユニットホルダ３１’にて係合し、該カードユニット３本体を前面方向に引き出し可能に保持するユニットホルダ３１を介して遊技島に設置されており、カードユニット３の前面下部位置には、シリンダ錠（図示略）が設けられていて、係員等が所持する解錠キーにより施錠を解除することでカードユニット３が引き出しできるようになっている。また、該ユニットホルダ３１には、各種接続ケーブルを中継するためのコネクタが設けられており、前記カードリーダライタ３２７とシステムコントローラ１００とを接続するケーブルや、前記制御ユニット３２８と会員管理コンピュータ１２０とを接続するケーブルも、該ユニットホルダ３１を介して中継接続されていて、これらケーブルが前記カードユニット３本体の引き出し時に絡まって、カードユニット３本体が引き出せなくなってしまうことがないように工夫されている。
【００５５】
また、本実施例１に用いた紙幣識別ユニット３２２は、その後端側（紙幣挿入先端側）が紙幣回収路（図示略）を介して遊技島内を横断するように架設された紙幣搬送路（図示略）に連結されている。該紙幣識別ユニット３２２は、会員カード３７またはビジターカード３８が受付中であって、読み出された度数が残存しない場合（０度の場合）において、紙幣の挿入を受付け、該受付けた紙幣を識別するように前記制御ユニット３２８にて制御される。この識別により受付けた紙幣が正規の紙幣（１０００円紙幣、２０００円紙幣、５０００円紙幣、１００００円紙幣）であると識別した場合には、該識別結果と貨幣種別（額面）とを前記制御ユニット３２８に出力するとともに、該識別した紙幣を前記紙幣搬送路に送り出し、正規の紙幣ではないと識別した場合には受付けた紙幣を返却するとともに、該識別エラーが発生したことを前記制御ユニット３２８に出力するようになっている。また、本実施例１において前記紙幣識別ユニット３２２は、カードユニット３（カードリーダライタ３２７）とシステムコントローラ１００とが通信接続されていないオフライン時の場合において、１０００円紙幣のみを受付け、それ以外の紙幣を返却して受付けないように前記制御ユニット３２８にて制御されているとともに、会員カード３７またはビジターカード３８が受付中であって、該会員カード３７またはビジターカード３８により特定される度数が残存する場合には、いずれの紙幣も受付けないように制御ユニット３２８にて制御されている。
【００５６】
また、本実施例１に用いた前記硬貨識別ユニット３２４は、図５に示すように、硬貨返却路３２５を介して前記硬貨返却口３１３に連設されているとともに、硬貨回収路３２６並びに硬貨回収樋（図示略）を介して遊技島内を横断するように架設されたコイン搬送路（図示略）に連結されている。該硬貨識別ユニット３２４は、会員カード３７或いはビジターカード３８が受付中であって、読み出された度数が残存しない場合（０度の場合）において、硬貨の投入を受付け、該受付けた硬貨を識別するように前記制御ユニット３２８にて制御される。この識別により受付けた硬貨が正規の硬貨（１００円硬貨、５００円硬貨）であると識別した場合には、該識別結果と識別金種とを制御ユニット３２８に出力するとともに、該識別した硬貨を前記コイン搬送路に排出し、正規の硬貨ではないと識別した場合には識別エラーを前記制御ユニット３２８に出力するとともに、硬貨返却口３１３より該投入された硬貨を返却する。また、前記硬貨識別ユニット３２４は、会員カード３７或いはビジターカード３８が受付中であって、該会員カード３７或いはビジターカード３８より読み出された度数が残存する場合には、前記紙幣の場合と同様に硬貨を受付けないように制御ユニット３２８にて制御されている。
【００５７】
また、前記ＲＡＭ３３０内の所定アドレスには、挿入されている会員カード３７の会員ＩＤ並びにカードＩＤが記憶される会員ＩＤレジスタや、挿入されているビジターカード３８のカードＩＤが記憶されるカードＩＤレジスタや、貯蓄玉数が記憶される貯蓄玉数レジスタや、暗証番号レジスタや、度数が記憶される度数レジスタに加えて、制御ユニット３２８に接続されている前記補給球計数器２４並びにアウト球計数器２６からの計数信号の入力に基づく営業開始時点からの補給球総数並びにアウト球総数が記憶される補給球総数レジスタやアウト球総数レジスタと、会員カード３７が挿入中における補給球計数器２４並びにアウト球計数器２６からの計数信号に基づく会員遊技者の遊技における補給球総数並びにアウト球総数が記憶される会員補給球数（ＩＮ）レジスタや会員アウト球数（ＯＵＴ）レジスタ、前記情報出力部２９８から出力される大当り情報に基づく大当り回数が加算記憶される特賞回数レジスタ、会員カード３７の挿入中における大当り回数が加算記憶される会員特賞回数レジスタとが設けられており、前記補給球総数レジスタやアウト球総数レジスタの営業開始時点からの補給球総数とアウト球総数が前記会員管理コンピュータ１２０へ送信され、且つ会員カード３７の返却時において該会員カード挿入時からの前記会員補給球数（ＩＮ）レジスタ並びに会員アウト球数（ＯＵＴ）レジスタに記憶されている会員遊技者の遊技に伴う補給球数（ＩＮ）とアウト球数（ＯＵＴ）と会員特賞回数レジスタに記憶されている会員特賞回数とが前記会員管理コンピュータ１２０へ送信されることで、パチンコ機２の営業開始時点からの収支とともに、各会員遊技者の収支を会員管理コンピュータ１２０が把握できるようになっている。
【００５８】
また、前記ＲＡＭ３３０内の所定アドレスには、前記システムコントローラ１００とのオフライン時において遊技に使用されたカードＩＤ及びプリペイドＩＤ及び度数が加算更新記憶される履歴記憶領域や、該オフライン時における撮像データを一時記憶するための撮像画像データ記憶領域が設けられており、該履歴記憶領域に記憶されているオフライン時において遊技に使用された度数や、撮像画像データ記憶領域に記憶されているオフライン時において撮像された画像データが、オンライン状態に復旧した際に、前記システムコントローラ１００に送信されることで、システムコントローラ１００にて管理されている会員カード３７或いはビジターカード３８の度数の整合性が保たれるとともに、前記撮像データが漏れなく記憶、管理されるようになっている。
【００５９】
また、前記特賞回数レジスタのデータは、営業終了時の締め処理において会員管理コンピュータ１２０へ送信されることで、各パチンコ機２にて営業中に発生した大当り総回数を会員管理コンピュータ１２０が把握することができるようになっているとともに、会員カード３７の返却時に該会員カード３７の挿入時からの前記会員特賞回数レジスタに記憶されている会員特賞回数が会員管理コンピュータ１２０へ送信されることで、各会員の遊技中に発生した大当り回数も管理コンピュータ１２０が把握することができるようになっている。
【００６０】
次いで、本実施例１の前記カードストッカ２０について簡潔に説明すると、該カードストッカ２０は、その内部に所定台数（本実施例１では最大５台）の予備のカードユニット３が収納可能な箱状の装置であって、該カードストッカ２０内部に収納されている予備のカードユニット３も、遊技島に設置されて使用されているカードユニット３と同様に前記ＬＡＮを介してシステムコントローラ１００とデータ通信可能に接続されており、これら予備のカードユニット３の存在や状態をシステムコントローラ１００が通信により把握できるようになっているとともに、カードユニット３交換が実施された場合には、台番号に対応するカードユニットの装置ＩＤに該当する装置テーブル等の更新処理を実施するとともに、これら交換の履歴を記憶、管理するようになっている。
【００６１】
また、本実施例１では、前述のように、会員カード３７並びにビジターカード３８への入金（価値加算）を実施するための遊技用装置である入金装置２１を遊技場内の所定位置に設けている。この入金装置２１には、前記カードユニット３に設けられている硬貨識別ユニット３２４や紙幣識別ユニット３２２並びに前記カードリーダライタ３２７とほぼ同様の硬貨識別ユニットや紙幣識別ユニット並びに前記カードリーダライタや、各種操作ボタン等が設けられており、各遊技者は、自分が所有する会員カード３７或いはビジターカード３８に残存する度数が「０」である場合において、該カードに１万円を上限として入金（価値加算）を実施し、該入金した会員カード３７或いはビジターカード３８を前記カードユニット３に挿入することで、該入金（価値加算）に相当する度数を遊技に使用することができるようになっている。
【００６２】
また、本実施例１の入金装置２１にも、前記カードユニット３並びに後述するカード発行機２３と同様に、貨幣の受付けに基づいて、該貨幣の投入者を撮像するためのＣＣＤカメラ（図示せず）が設けられており、予め高額貨幣に設定されている高額紙幣の投入或いは所定時間内に紙幣投入やり直しを所定回数以上、繰返し実施された場合に該ＣＣＤカメラ（図示せず）にて撮像された画像データが、前記システムコントローラ１００に送信されるようになっている。
【００６３】
これら会員カード３７並びにビジターカード３８への入金においては、前記システムコントローラ１００に対し、会員カード３７或いはビジターカード３８に記録されているカードＩＤと受付け金種、並びに該受付け金種の金額が相当する入金度数と、当該カードユニット３に固有に付与された装置ＩＤとを含む入金情報（価値加算情報）が送信されることで、該システムコントローラ１００にて新たにプリペイドＩＤが生成され、該生成されたプリペイドＩＤと受付け金額に相当する度数の大きさが、入金度数として該カードのカードＩＤに対応付けて前記カードマスターテーブルに登録されるとともに、該入金履歴が図９に示すカード使用履歴テーブルに登録され、使用されたカードが会員カード３７である場合には、該プリペイドＩＤと入金額とともに、その時点の時間と入金処理に使用された会員カード３７のカードＩＤとを含む入金処理内容が会員カード３７の使用履歴として対応付けて登録された後、該プリペイドＩＤが入金装置２１に返信され、これらプリペイドＩＤと入金額に相当する度数とが会員カード３７或いはビジターカード３８に記録されて返却される。
【００６４】
尚、この入金に際してシステムコントローラ１００は、入金装置２１より送信されてきたカードＩＤが、システムコントローラ１００に登録されているか、若しくは登録されていても使用不可（無効）に設定されていないかを確認する入金可否判定処理を実施し、該入金可否判定処理において問題ない場合において前記プリペイドＩＤを生成して入金装置２１に返信するようになっており、システムコントローラ１００に登録されていない会員カード３７やビジターカード３８、並びに後述する無効識別情報であるブラックリストやあみかけリストに該当する会員カード３７への入金が実施できないようになっている。
【００６５】
また、この入金処理された会員カード３７並びにビジターカード３８をカードユニット３にて使用する場合には、前記にて会員カード３７或いはビジターカード３８に記録されたプリペイドＩＤと度数、カードＩＤと、挿入されたカードが会員カード３７である場合には会員ＩＤが、カードリーダライタ３２７により読み出され、該読み出された情報の内、カードＩＤとプリペイドＩＤ並びに度数とが該カードリーダライタ３２７の制御基板３２７ｂからシステムコントローラ１００に送信されて前記カードマスターテーブルにおける登録情報との比較、照合による会員カード３７或いはビジターカード３８の使用の可否が判定される。
【００６６】
そして、これら照合が一致、或いはカードユニット３から送信されてきた度数データの大きさが小さい場合において、システムコントローラ１００から使用許諾が返信されてきた場合においてのみ、該度数の大きさが制御ユニット３２８を通じて前記操作基板１８上の度数表示部１７に表示されることで、遊技に使用することができるようになっていて、該度数が使用された場合には、該使用度数が前記システムコントローラ１００に送信されて該当するプリペイドＩＤに対応して登録されている度数の大きさが減算更新されるようになっている。（図８参照）
【００６７】
また、本実施例１においては、図１７に示すように、ビジターカード３８を発行するためのカード発行機２３を遊技場内の所定位置に設けている。この本実施例１のカード発行機２３を図１７並びに図１８に基づき説明すると、該カード発行機２３の前面には、図１７に示すように、ビジターカード３８の発行が可能であることを遊技者に報知するための動作表示部４０１と、発行されたビジターカード３８が排出されるカード発行口４０２と、該カード発行口４０２よりビジターカード３８が排出されていることを点滅により報知するカードインジケータ４０３と、紙幣を挿入可能とされた紙幣挿入口４０４と、該紙幣挿入口４０４からの紙幣の排出を点滅により報知する紙幣インジケータ４０５と、前記紙幣挿入口４０４に挿入された紙幣の合計金額が逐次表示される金額表示部４０７と、１０００円、、３０００円、５０００円、１００００円から新規ビジターカード３８の発行額を選択するための発行額選択ボタン４０８と、予め高額貨幣に設定されている高額紙幣の投入を実施した利用者や、所定時間内に紙幣投入やり直しを所定回数以上、繰返し実施した利用者を撮像するための撮像装置であるＣＣＤカメラ４２５，４２６や、ビジターカード３８の発行を中断する中止ボタン４１０と、ビジターカード３８の発行に伴う釣り銭として払い出される紙幣が排出される紙幣排出口４１３と、該紙幣排出口４１３からの紙幣の排出を点滅により報知する紙幣インジケータ４１４と、が設けられている。
【００６８】
このカード発行機２３の構成について説明すると、該カード発行機２３は、前記動作表示部４０１や、金額表示部４０７や、発行額選択ボタン４０８や、中止ボタン４１０や、カードインジケータ４０３や、紙幣インジケータ４０５、４１４に加えて、図１８に示すように、発行されるビジターカード３８を貯留・供給する供給ユニット（図示略）並びに前記カード発行口４０２に連設され、発行されるビジターカード３８のメモリチェック等を行うとともに、記録情報の読み出し並びに書き込み等を行うＩＣカードリーダライタ４１５と、前記紙幣挿入口４０４に連設され、挿入された紙幣の真贋や紙幣種別の識別を行う貨幣識別手段である紙幣識別ユニット４１６と、前記紙幣排出口４１３に連設され、紙幣の払い出しを実施する紙幣払出ユニット４１９と、前記金額表示部４０７の表示動作の制御を行う表示ドライバ４２０と、前記ビジターカード３８より読み出しまたは書き込まれる各種データやこれらカード発行機２３に対して個別に付与された装置ＩＤ、並びに後述するＭＰＵ４２３の制御内容が記述された制御プログラム等が記憶された記憶部４２１と、通信ケーブル８を介して前記システムコントローラ１００とデータ通信を行うための通信部４２２と、前記貨幣の受付けに基づいて該貨幣の投入者を撮像するための撮像装置であるＣＣＤカメラ４２５，４２６や、これら各部の制御等を行うマイクロプロセッシングユニット（ＭＰＵ）４２３と、を有し、これら各部は図１８に示すように接続されており、前記ビジターカード３８の発行が実施可能とされている。
【００６９】
このように、本実施例１においては、撮像装置であるＣＣＤカメラ４２５，４２６をカード発行機２３に設けるようにしており、このようにすることは、遊技場内に既設された監視カメラにて操作者を撮像する場合等に比べ、撮像象者に近接して、該撮像象者を正面から確実かつ鮮明に撮像できることから好ましいが、本発明はこれに限定されるものではなく、これら撮像装置を遊技場内に既設された監視カメラにて実施したり、カード発行機２３に対応する所定の場所に、固有に監視カメラを設けるようにしても良い。
【００７０】
このカード発行機２３を用いて新規にビジターカード３８を発行する際の発行処理について、図１９に基づいて説明すると、まず遊技者が新規にビジターカード３８の発行を受ける場合には、発行に供したい所望の金額以上の紙幣を紙幣挿入口４０４より挿入する。
【００７１】
この挿入された紙幣は、、前記紙幣識別ユニット４１６により識別され、該投入紙幣の識別結果が真券（正規の貨幣）である場合には、紙幣種別の情報を含む識別情報がＭＰＵ４２３に出力されることに基づきＭＰＵ４２３は、挿入された紙幣の合計金額を算出して前記金額表示部４０７に表示するとともに、前記記憶部４２１に一時記憶する。
【００７２】
この状態で発行額選択ボタン４０８における発行額（１０００円、３０００円、５０００円、１００００円のいずれか一つ）が選択入力されると、前記ＭＰＵ４２３は、前記選択入力されたビジターカード３８の発行額を特定し、該特定した発行額を度数（発行度数）に変換する。
【００７３】
次いで発行するビジターカード３８をＩＣカードリーダライタ４１５にセットし、該ビジターカード３８のメモリチェックを実施した後、これらチェックにおいて異常がなければカードＩＤを読み出し、該読み出したカードＩＤと前記紙幣識別ユニット４１６によって正規の紙幣と識別された紙幣種別の中で最も金額の大きな紙幣の金種を特定可能な情報である受付け貨幣金種と、発行度数と、装置ＩＤ並びに発行許諾要求とを含む発行情報を前記システムコントローラ１００に送信するとともに、前記ＣＣＤカメラ４２５，４２６により撮像を実施して該撮像画像のデータを一時記憶した後、システムコントローラ１００からの発行許諾の受信待ちとなる。
【００７４】
前記発行情報の受信に基づいて管理コンピュータ１００は、受信したカードＩＤが使用不可に登録されていないか等を確認した後、プリペイドＩＤを生成するとともに、該生成したプリペイドＩＤと発行度数とをカードマスターテーブルに登録する。
【００７５】
更にシステムコントローラ１００は、前記発行情報に含まれる受付け貨幣金種の情報から発行装置２３にて受付けた最高貨幣金種の金額を特定し、該特定した金額が後述する送信条件設定画面（図２０参照）にて高額貨幣受付けの高額定義に設定されている所定金額（本実施例１では５０００円）以上であるか否かを判定し、所定金額（本実施例１では５０００円）以上である場合において、前記にて生成したプリペイドＩＤと発行許諾とともに、カード発行機２３において撮像される画像データの送信指示をカード発行機２３に返信する。
【００７６】
このシステムコントローラ１００から発行許諾が返信された場合にＭＰＵ４２３は、前記ＩＣカードリーダライタ４１５にセットしたビジターカード３８に前記変換した発行度数と、該発行許諾とともに受信したプリペイドＩＤとを記録した後、カード発行口４０２より排出・発行する。この際、前記識別された紙幣は紙幣識別ユニット４１６に連設された紙幣ストッカ（図示略）に回収される。
【００７７】
また、前記挿入された紙幣の合計金額が、発行したビジターカード３８の発行額を上回る場合においてＭＰＵ４２３は、前記合計金額より発行額を減算した釣り銭金額を算出し、前記紙幣払出ユニット４１９により前記算出した釣り銭金額分の紙幣を前記紙幣排出口４１３より排出する。
【００７８】
これらの発行処理の完了に基づいてＭＰＵ４２３は、前記発行許諾の受信とともに送信指示を受信したかを判定し、システムコントローラ１００からの送信指示の受信がある場合において、前記にてＣＣＤカメラ４２５，４２６により撮像し一時記憶した撮像データと装置ＩＤと発行したカードＩＤとを含む発行完了通知をシステムコントローラ１００に送信した後、新たな貨幣受付けの待機状態に移行する。
【００７９】
このカード発行機２３からの発行完了通知の受信に基づいて、システムコントローラ１００は、ビジターカード３８の発行が完了したものと判定し、図９に示すカード使用履歴テーブルに、該発行完了通知の受信時刻を使用時刻として記録するとともに、発行完了通知に含まれるカードＩＤが「カードＩＤ」の項目に、「処理種別」の項目には発行が、「処理度数」には当該カード発行機２３から受信した前記発行情報に含まれる発行度数が、「受付け金種」には前記発行情報に含まれる受付け金種の金額が、「処理装置」には発行完了通知に含まれる装置ＩＤが、該発行完了通知の受信に基づいて処理状況には「正常」が記憶されるとともに、発行完了通知に撮像データが含まれる場合には、該送信されてきた画像データへのパスデータが「撮像画像」の項目に記憶されることで、カード発行機２３にて撮像された撮像データと発行履歴とが対応付けて記憶、管理されるようになっている。
【００８０】
尚、送信指示の受信がない場合には、画像データを含まない発行完了通知がカード発行機２３からシステムコントローラ１００に送信されることで、画像データへのパスデータが「撮像画像」の項目に記憶されない発行履歴がカード使用履歴テーブルに記憶される。
【００８１】
また、画像データへのパスデータの記憶を有する発行履歴の登録があった場合にシステムコントローラ１００は、当該発行履歴に記憶されている装置ＩＤと同一の装置ＩＤが記録され、且つ画像データへのパスデータの記憶を有する発行履歴をカード使用履歴テーブルから抽出し、該抽出した発行履歴に基づいて該装置ＩＤのカード発行機２３において、図２０の送信条件設定画面の要注意報知条件設定の設定条件が成立しているか否かを判定し、成立している場合には、該要注意報知条件が成立した遊技用装置であるカード発行機２３の装置ＩＤが、図２２に示すカードユニット３の装置ＩＤに代えて表示された報知ウインドウが、システムコントローラ１００の表示装置１０７に表示されるようになっている。
【００８２】
このように報知ウインドウを表示することは、所定期間内に所定回数以上の高額貨幣の受付けによる発行があったこととともに、そのカード発行機２３を特定可能な識別情報である装置ＩＤが報知されるので、どのカード発行機２３にて所定期間内に所定回数以上の高額貨幣の受付けによる発行があったかを容易に特定でき、迅速な対応を実施できるようになることから好ましいが、本発明はこれに限定されるものではなく、これら報知ウインドウによる報知を実施しない構成としても良い。
【００８３】
また、本実施例１においては会員カード３７またはビジターカード３８に度数が残存している場合において、これら度数を現金に交換できるようにするための精算装置２２を設けており、該精算装置２２には、前記カードユニット３に設けられているカードリーダライタ３２７とほぼ同様のカードリーダライタ、並びに前記カード発行装置２３に設けられている紙幣払出ユニット４１９と同等の紙幣払出ユニットに加えて、１００円硬貨並びに５００円硬貨を払い出すための硬貨払出ユニットが設けられており、精算装置２２に会員カード３７或いはビジターカード３８を挿入することで、該会員カード３７或いはビジターカード３８に記録されているカードＩＤとプリペイドＩＤと度数とがカードリーダライタにより読み出されてシステムコントローラ１００に送信され、前記カードマスターテーブルの登録情報との比較、照合が実施されてこれら照合が一致した場合においてのみ、その精算が実施されるように制御される。
【００８４】
尚、これら精算においても前記ブラックリストやあみかけリストに該当する会員カード３７の精算は、システムコントローラ１００により許諾されないようになっているとともに、これら精算が実施された場合には、該精算された度数の入金ＩＤと度数の登録が削除されるとともに、これら精算金額と会員ＩＤとが精算履歴として前記システムコントローラ１００に記憶、管理される。
【００８５】
ここで、本実施例１に用いた管理装置並びに記憶装置としてのシステムコントローラ１００について説明すると、該システムコントローラ１００は、図７に示すように、コンピュータ内部にてデータの送受を行うデータバス１０１に、該システムコントローラ１００が実施する高額貨幣受付けに該当するか否かの判定処理や前記要注意報知条件の成立判定処理とともに、後述するカードマスターテーブルやカードユニット別データテーブル並びにカード使用履歴テーブルや遊技履歴テーブル等の各種データベースの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、前記会員管理コンピュータ１２０とのデータ通信を行う第１通信部１０９、前記カードユニット３（カードリーダライタ３２７）とのデータ通信を行う第２通信部１１０、前記カード会社に設けられた管理サーバと電話回線を通じてデータ通信を可能とするためのデジタルサービスユニット（ＤＳＵ）１１１が接続された通常のコンピュータである。
【００８６】
また、前記記憶装置１０５には、該システムコントローラ１００の処理を実施するための処理プログラムに加えて、図８（ａ）〜（ｃ）並びに図９、図１０に示すような各種テーブル（データベース）が登録されている。
【００８７】
まず、図８（ａ）の会員属性情報テーブル（会員データベース）は、会員カード３７の会員ＩＤ毎に、当該会員カード３７を所持する会員遊技者の氏名（名字並びに名前）、性別、年齢、誕生日、職業、住所からなる会員遊技者の会員帰属情報と、当該会員カード３７に記録されている会員情報の更新の有無（会員カード３７に記録されている会員情報が最新のものに更新されている場合には「更新済」が登録され、会員情報が記録されていない場合や最新のものに更新されていない場合には未更新が登録される）と、が対応付けて登録されており、これら会員属性情報テーブル（会員データベース）の登録情報は会員管理コンピュータ１２０に登録されている会員情報テーブルの登録内容と同一となるように起動時や変更発生時において逐次更新される。
【００８８】
また、図８（ｂ）に示すカードマスターテーブルには、会員カード３７またはビジターカード３８のカードＩＤ毎に、会員カード３７の場合には会員ＩＤと、前記入金装置２１或いはカードユニット３における後述の入金処理や、前記発行装置２３における発行処理が実施される毎に付与されるプリペイドＩＤと、プリペイドＩＤに該当する入金処理或いは発行処理が実施された入金装置２１或いはカードユニット３或いは発行装置２３の装置ＩＤと、該入金処理或いは発行処理に供された入金額或いは発行額に相当する入金度数と、該入金度数から後述の貸出処理に使用された使用度数と、前記入金度数のうち未だ貸出処理に使用されていない残存度数と、そのカードが前記カード会社の管理サーバ１２から配信される後述する運用情報に含まれるブラックリスト或いはあみかけリスト或いは後述するグレー会員リストにおける無効設定、または前記会員管理コンピュータ１２０で会員登録抹消処理が行われることで該システムコントローラ１００に送信されてくる抹消情報に基づき、その会員カード３７或いはビジターカード３８が使用不可であるかを示す使用不可情報と、が対応付けて登録されていて、これらカードマスターテーブルに登録されている残存度数と対応する会員カード３７或いはビジターカード３８に記録されている残存度数とが一致するように記憶、管理されているとともに、前記ブラックリスト或いはあみかけリスト並びにグレー会員リストにおける無効設定に該当する会員カード３７またはビジターカード３８の使用不可情報（フラグ）が使用不可「１」として登録されることで、該会員カード３７或いはビジターカード３８の使用が禁止されるようになっている。
【００８９】
また、図８（ｃ）に示すカードユニット別データテーブルには、前記カードユニット３の装置ＩＤ毎に、当該カードユニット３が設置されている遊技島の島番号と、その通信状況（オンラインかオフラインか）と、対応するパチンコ機２の機種名である対応機種と、後述の貸出処理に使用された度数の累計である総使用度数と、該総使用度数のうちビジターカード３８から使用された度数であるＶカード使用度数と、当該カードユニット３にてビジターカード３８に入金された入金総額であるビジターカード入金金額と、会員カード３７から使用された度数である会員カード使用度数と、当該カードユニット３にて入金された入金総額である会員カード入金金額並び入金のために受付けた現金の各金種毎の数量である１００００円、５０００円、２０００円、１０００円、５００円、１００円とが登録されており、これらカード管理ＤＢにおける登録データ並びに前記カードマスターテーブルに登録されている残存度数等の各種データは、前記カードユニット３からその都度送信される各種情報に基づき更新されるようになっている。
【００９０】
また、本実施例１の管理データベース（ＤＢ）内には図９に示すように、各会員カード３７並びにビジターカード３８が前記カードユニット３や入金装置２１、発行装置２３並びに精算装置２２にて使用された時刻（厳密には入金装置２１、発行装置２３並びに精算装置２２から入金、発行或いは精算の完了の旨を受信した時刻）に対応付けて、使用された会員カード３７或いはビジターカード３８のカードＩＤと処理種別、処理度数、受付金種、並びに該処理を実施した装置の装置ＩＤと、撮像データへのパスデータ、並びに処理状況とが記憶、管理されるようになっている。
【００９１】
また、本実施例１の管理データベース（ＤＢ）内には図１０に示すように、営業当日の会員の遊技履歴が登録される会員遊技履歴テーブルが設けられており、各会員遊技者が前記カードユニット３に自己の会員カード３７を挿入して、玉貸操作を実施することで、該玉貸が実施されたカードユニット３の装置ＩＤと該カードユニット３にて玉貸に使用された使用度数とが、会員ＩＤ並びにカードＩＤに対応付けて１遊技履歴として登録されるようになっており、これら会員遊技履歴テーブルに登録されている使用度数のデータが、遊技終了時においてカードユニット３から会員カード３７が返却されたことに基づき、前記会員管理コンピュータ１２０から出力される使用度数照会において、該当する使用度数が会員管理コンピュータ１２０に返信されるようになっている。
【００９２】
また、本実施例１のシステムコントローラ１００においては、図１１に示すように、前記各テーブル並びにデータベースに基づき、各種カード管理、カードユニット管理並びに売り上げに関する種々の情報を、本日はもとより前日以前の過去のデータも出力可能とされている。
【００９３】
具体的には、図１２に示す機能選択画面において、表示されている各選択項目から所望する項目並びに出力させたい日付を選択或いは入力することで、図１１の項目（１）〜（７）に示すように、（１）日計表、（２）島別売上表、（３）個別売上、（４）個別詳細情報、（５）時間別売上、（６）帳票管理、（７）機器交換履歴の各項目を、例えば図１３に示す前記（３）個別売上のように表示或いはプリント出力することができるようになっている。
【００９４】
本実施例１のシステムコントローラ１００では、前記（１）日計表として、選択された日付の店舗全体の会員並びにビジターの各売上や総売上金額や会員カード３７への入金総額、会員カード３７の精算総額等の情報が表示される店舗日計表や、選択された日付の前記カードユニット毎の会員並びにビジターの各売上や総売上金額等の情報が表示されるサンド日計表や、図２４に示すような選択された日付における各会員カードの処理履歴等の情報が表示されるカード個別日計表や、選択された日付の前記入金装置２１による入金回数や入金総額等が表示される入金機日計表や、選択された日付の前記精算装置２２における精算回数や精算金額が表示される精算機日計表と、が表示されるようになっている。
【００９５】
また、前記（２）島別売上表を選択した場合には、選択された日付の前記島毎の会員並びにビジターの各売上や総売上金額や会員カードへの入金総額等の情報が表示され、（３）個別売上を選択した場合には、図１３に示すように、選択された日付の各カードユニット（ＣＵ）３毎の会員並びにビジターの売上（消費）や会員カードへの入金総額等の各情報が表示され、前記（４）個別詳細情報を選択すると、選択された日付の各機器の売上、受付金種別の受付数、通信状態や会員カード挿入の有無等の各機器の詳細情報が表示され、前記（５）時間別売上を選択した場合には、選択された日付の各時間帯における店舗全体の会員並びにビジターの各売上や総売上金額や会員カードへの入金総額や精算総額等の情報が表示される。
【００９６】
また、前記（６）帳票管理を選択した場合には、選択した帳票を印刷することができ、前記（７）機器交換履歴を選択した場合には、選択した日付において前記カードユニットストッカ２０内の予備用カードユニットとの交換があった場合に、その交換された時間や交換された機器の情報が表示されるようになっている。
【００９７】
また、前記（１）〜（７）の日付選択する項目以外に、項目（８）〜（１３）の日付選択を必要としない表示項目（メニュー）が設けられており、項目（８）の仮締め情報を選択することで、通信がオフライン状態或いは何らかの障害により正規の締め処理がなされずに仮締め処理がなされたカードユニット３とその売上等の情報が表示され、項目（９）のエラー情報管理を選択すると、各接続機器のエラー発見日時、復旧日時、エラー名などのエラー情報が検索して表示され、項目（１０）の操作履歴を選択すると、各カードユニット３や前記入金装置２１並びに精算装置２２が操作された日時や時間内容などの操作履歴（通信履歴）が表示され、項目（１１）の営業状態を選択した場合には、各接続機器の通信接続や会員カードの受付状況等の状態が表示され、項目（１２）の営業定数を選択すると、締め処理において自動印刷される帳票の種別設定を行う画面が表示され、項目（１３）のビジターカード情報を選択することで、ビジターカードの書き込み回数情報等が表示されるようになっていて、該システムコントローラ１００において、各カード並びにカードユニット３や入金装置２１や発行装置２３並びに精算装置２２の管理が実施されるようになっている。
【００９８】
また、これら売上（消費）に関する情報や入金並びに発行に関する情報、会員カード３７並びにビジターカード３８の残金情報や後述するグレー会員の情報は、営業の終了時に実施される締め処理にて前記カード会社の管理サーバ１２へ送信されるとともに、前記図１３に示す個別売上のように、各カードユニット３毎の消費金額や入金金額等の情報並びに店舗全体の消費総額や入金総額の情報が前記会員管理コンピュータ１２０へ出力されることで、該会員管理コンピュータ１２０にても、会員カード並びにビジターカードによる売り上げを管理できるようになっているとともに、これら売り上げ情報が会員の遊技動向の分析やイベント効果等のデータ並びに不正な会員遊技者を特定するためのデータとして活用されるようになっている。
【００９９】
また、会員カード３７の返却が前記カードユニット３にて発生した場合においては、前述のように、その返却時において会員管理コンピュータ１２０からの当該会員カード３７のカードＩＤ並びにカードユニット３の装置ＩＤを含む使用度数照会の送信に基づき、照会されたカードＩＤに該当する会員遊技者が照会されたカードユニット３にて遊技に使用した消費金額が売上金額として会員管理コンピュータ１２０に返信されることで、該会員管理コンピュータ１２０では、その会員遊技者の来店履歴の売上金額として登録される。
【０１００】
また、本実施例１のシステムコントローラ１００には、図２０に示す送信条件設定画面が設けられており、同一の遊技用装置にて基板への不正や接続コードの繋ぎ替え等の不正がなされ、低額紙幣の投入を高額紙幣の投入として認識させる等の不正な入金を行う場合には、同一の遊技用装置にて、高額紙幣の受付けが実施されることが考えられることから、これら高額紙幣の受付けた場合の操作者の画像をシステムコントローラ１００に送信させて記憶するために、該送信条件設定画面において、前記カード発行機２３や入金装置２１並びにカードユニット３において受付けた貨幣が、高額貨幣受付けに該当するか否かを判定するための所定額（例えば５０００円、７０００円、１００００円等）を設定変更できるようになっており、該所定額に例えば５０００円を設定することで、前記カード発行機２３や入金装置２１並びにカードユニット３から貨幣の受付けに基づいて送信されてくる発行情報や入金情報に含まれる受付け貨幣機種の情報に基づいて特定される受付け貨幣の金額が、該設定されている５０００円以上の貨幣（紙幣）であるか否かが判定され、５０００円以上の貨幣（紙幣）である場合において、前記カード発行機２３や入金装置２１並びにカードユニット３に送信指示が送信されることで、該カード発行機２３や入金装置２１並びにカードユニット３において貨幣の受付けによって撮像された撮像データが発行或いは入金の完了に基づいてシステムコントローラ１００に送信されて記憶されるようになっている。
【０１０１】
また、本実施例１の送信条件設定画面には、画面下方位置に要注意報知条件設定の項目が設けられており、該要注意報知条件設定の項目における所定期間（例えば１時間や３時間や６時間や１営業日等）と回数（例えば３回、５回、１０回等）とを設定することで、同一の前記カード発行機２３や入金装置２１並びにカードユニット３において、該設定された所定期間内において設定された回数以上の高額受付けが実施された場合に、図２２に示すような要注意報知が表示されるようになっている。
【０１０２】
ここで、本実施例１に用いたシステムコントローラ１００と前記カード会社に設置されている管理サーバ１２との連携について図１４に基づき説明する。まず、システムコントローラ１００は、図示しない無停電電源装置（ＵＰＳ）に接続されていて、該ＵＰＳに設定されている営業日の所定時間において自動的に起動されるようになっている。該ＵＰＳによる電源投入（起動）が実施されると、自動的に前記記憶装置１０５に記憶されている処理プログラム（Ｐ）が起動されて、記憶装置１０５に記憶されている各ファイルの異常を、誤り訂正符号（ＣＲＣ）に基づきチェックするとともに、接続されているカードユニット３や入金装置２１並びに精算装置２２等の接続機器に異常がないかを確認し、異常があれば異常内容を前記管理サーバ１２に通知し、異常がなければチェック完了を管理サーバ１２に通知する。
【０１０３】
該チェック完了の送信を受けて管理サーバ１２は、前日（前回の営業日）の締め時においてシステムコントローラ１００から送信を受けて登録してある会員残金を読み出してシステムコントローラ１００に送信する。該送信を受けて、システムコントローラ１００は、送信されてきた会員残金と自己に登録されている前回の締め時の会員残金との照合を実施し、該照合が一致しない場合には、不正なデータ操作があったものと判断して残金異常通知を管理サーバ１２へ通知する。
【０１０４】
この会員残金の照合が一致した場合には、前回締め時に管理サーバ１２より配信された運用情報に含まれている新規発行可能な会員カード３７のカードＩＤやビジターカード３８のカードＩＤと、ブラックリストやあみかけリストを受信した場合は、該ブラックリスト並びにあみかけリストに登録されている会員カード３７或いはビジターカード３８が、前記カードマスターテーブルに登録されている場合において、該会員カード３７或いはビジターカード３８の使用不可情報（フラグ）を使用不可「１」として登録することで、その会員カードの使用を不可とするとともに、該ブラックリストやあみかけリストに該当する会員カード３７のカードＩＤと会員ＩＤとを会員管理コンピュータ１２０へ送信する。これら新規発行可能な会員カードのカードＩＤと会員ＩＤの送信を受けて会員管理コンピュータ１２０は、これら受信したカードＩＤと会員ＩＤを図示しない会員情報テーブルに新規発行可能な未発行カードとして登録する。
【０１０５】
前記会員管理コンピュータ１２０への新規発行可能な会員カード３７のカードＩＤと会員ＩＤの送信の後、システムコントローラ１００は、営業の開始通知を前記管理サーバ１２へ送信して、該管理サーバ１２より開始許諾を受信することで、営業を開始して営業中処理へ移行する。
【０１０６】
該営業中において、前記会員管理コンピュータ１２０にて、新規会員の属性情報の登録による新規会員登録がなされ、該新規会員への会員ＩＤ並びにカードＩＤの割り当てや、既存会員の会員帰属情報の変更並びに不正な会員遊技者と判定されて会員登録の抹消があった場合には、新規発行情報又は更新情報（抹消情報）が会員管理コンピュータ１２０からシステムコントローラ１００に送信され、該新規発行情報又は更新情報（抹消情報）に基づき図８（ａ）に示す会員属性情報テーブルに新規会員の登録或いは会員情報の更新が実施され、これら更新（登録、変更）が実施された場合には、更新の項目に未更新が登録されて、該当する会員カード３７が使用された場合に、該更新或いは新規登録された会員属性情報が、会員カード３７が使用されたカードユニット３に送信されて、会員カード３７に記録されるようになっている。
【０１０７】
また、この営業処理中において前記管理サーバ１２は、所定期間毎にシステムコントローラ１００に対し、稼働を確認するためのヘルスチェックデータを送信し、該ヘルスチェックデータに対する応答に基づいて、システムコントローラ１００が正常に動作しているかを確認するようになっているとともに、システムコントローラ１００も各カードユニット３並びに発行装置２１並びに精算装置２２に対して、前記ＬＡＮ上に通信接続確認用のブロードパケットを所定時間毎、例えば５秒毎に送信することで、該ブロードパケットの受信の有無により、各カードユニット３中の前記カードリーダライタ３２７に設けられている前記制御基板３２７ｂが、オンライン／オフラインの通信状態の確認を実施できるようになっている。
【０１０８】
また、営業処理中において接続機器やカードの残額異常等の不正を検出した場合においてシステムコントローラ１００は、管理サーバ１２に対して不正検知或いは異常検知を通知することで、管理サーバ１２が設置されているカード会社において、これら異常や不正を把握できるようになっている。
【０１０９】
営業時間が終了した後においてシステムコントローラ１００は、締め処理を実施する。この締め処理においては、その営業日における店舗全体の売上が集計された日計売上や、各カードユニット３毎や会員カード３７毎の売上等を含む個別売上や、各会員カード３７に残存する遊技用価値である度数に相当する残金の情報を含む会員残金等の各情報を含む集計データが管理サーバ１２へ送信されるとともに、該管理サーバ１２は、その遊技場が該当する店舗情報と運用情報とを配信するとともに、最後に前記のヘルスチェックデータによる動作確認を実施し、該動作確認の後、システムコントローラ１００の電源が前記ＵＰＳにより遮断される。
【０１１０】
この管理サーバ１２より配信される前記運用情報には、その遊技場からの発注に基づき発送された会員カード３７のカードＩＤと会員ＩＤ並びにビジターカード３８のシリアル番号とカードＩＤとともに、カード会社が使用を禁止した会員カード３７のカードＩＤと会員ＩＤが記述されたブラックリストや、カード会社から遊技場への配送途中に紛失や盗難、或いは製造不良であると判明した会員カード３７やビジターカード３８のカードＩＤと（会員カード３７の場合には）会員ＩＤが記述されたあみかけリストが含まれており、該ブラックリスト並びにあみかけリストに登録されている会員カード３７或いはビジターカード３８に該当するカードが前記カードマスターテーブルに登録されている場合において、該会員カード３７或いはビジターカード３８の使用不可情報（フラグ）が使用不可「１」として登録されて、そのカードの使用が不可とされるようになっている。
【０１１１】
次いで、本実施例１の会員管理コンピュータ１２０について説明すると、該会員管理コンピュータ１２０は、図１５に示すように、コンピュータ内部にてデータの送受を行うデータバス１２１に、該会員管理コンピュータ１２０が実施する会員の帰属情報を受付けて会員ＩＤに対応付けて登録管理するとともに、これら会員カードの使用に基づく各情報に基づいてイベント評価等の各種の分析処理や後述の会員管理ＤＢの更新処理並びに前記システムコントローラ１００からの売上情報に基づく売上集計等の各種データの集計処理等を行うＣＰＵ１２２、ワークメモリ等として使用されるＲＡＭ１２３、時刻情報やカレンダ情報を出力するＲＴＣ１２４、磁気ディスクや光磁気ディスクから成る記憶装置１２５、新規会員に関する個人情報等の会員帰属情報等の各種情報を受付けるためのキーボードやマウス等の入力装置１２６、機能選択を実施することで、例えば新規会員の登録画面や売上情報並びに未発行の会員カードの会員ＩＤや枚数等の情報を出力するための表示装置１２７並びにプリンタ１２８、前記システムコントローラ１００とのデータ通信を行う第１通信部１２９や前記カードユニット３（制御ユニット３２８）とのデータ通信を行う第２通信部１３０、が接続された通常のコンピュータである。
【０１１２】
また、前記記憶装置１２５には、該会員管理コンピュータ１２０が処理を実施するための各種処理プログラムに加えて、会員カード３７の会員ＩＤ並びにカードＩＤ毎に、その時点の貯蓄玉数と、本人確認のための暗証番号と、来店回数と、来店ポイントと、最後の来店日と、これら来店回数や収支金額等に基づく会員ランクと、会員登録日、並びに当該会員カード３７を所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否等からなる会員遊技者の帰属情報が登録される会員情報テーブル（遊技者データベース）が記憶されている。
【０１１３】
また、本実施例１の前記記憶装置１２５には、前記会員情報テーブルに加えて入力装置１２６の操作により前記表示装置１２７に表示されるイベント登録画面（図示略）にて登録された登録内容であるイベント名と、実施期間と、実施時間と、対象条件（全会員、女性会員、来店回数５０回以上の会員等）と、対象となるカードユニット３の範囲（全ユニット、〜番島、対象となるカードユニット３の個別の装置ＩＤ等）と、対象者に対する特典（無制限、粗品進呈、等価交換等）と、対象となるカードユニット３において対象者である旨を報知する際の報知条件（遊技開始時、使用額〜円以上、遊技開始〜分後等）と、対象となるカードユニット３での事前報知の実施の有無（実施する場合には「Ｙｅｓ」が登録され、実施しない場合には「Ｎｏ」が登録される）と、イベント効果の比較において比較データとして用いるデータの集計期間（日数）と、が各イベント毎に付与されたイベントＮｏ．毎に登録されるイベントテーブル（図示略）が記憶されている。
【０１１４】
更に、前記記憶装置１２５には、各会員遊技者の遊技履歴として、遊技（来店）日、遊技した台番号、遊技開始時間並びに終了時間と特賞回数と遊技時間、会員遊技者が遊技に消費した金額である売上金額、会員遊技者が遊技にて獲得することで遊技場が該会員遊技者に対して提供する景品と等価な金額である支出金額（最小数は１００円単位）、これら売上金額から支出金額を差し引いた収支金額と遊技場の勝敗、とが各会員遊技者毎に登録されている会員来店履歴データベース（図示略）が記憶されている。
【０１１５】
また、前記記憶装置１２５には、前記締め処理に基づきシステムコントローラ１００から出力される各カードユニット３毎の会員並びにビジターの各売上並びに総売上情報とともに、前記カードユニット３から出力される前記補給球総数レジスタやアウト球総数レジスタに記憶されている営業開始時点からの補給球総数とアウト球総数の差球に基づき算出されるパチンコ機２の支出金額や、収支金額、並びに前記アウト球総数をパチンコ機２において単位時間（１分間）に打ち出させる平均打出数で除することで得られる稼働時間（分）や営業時間に占める稼働時間（分）の割合である稼働率とが、各台番号とその台タイプ並びに機種と島番号とともに登録される台別履歴データベース（図示略）が記憶されており、これら各データベースに登録されている情報に基づいて、後述する各種情報の出力やイベント効果の集計が実施されるようになっている。尚、本実施例１において支出金額の算出方法としては、前記補給球総数（補給球数（ＩＮ））からアウト球総数（アウト球数（ＯＵＴ））を差し引いた差球数に特殊景品との交換率を乗じて支出金額を算出している。
【０１１６】
以下、本実施例１の遊技用システムにおける各部の処理状況並びにデータの授受について説明する。
【０１１７】
本実施例１のカードユニット３は、前記カード挿入口３１９に挿入された会員カード３７或いはビジターカード３８の使用の可／不可を判別する受付処理と、この受付処理において受付けられた会員カード３７或いはビジターカード３８より読み出された度数をパチンコ玉の貸出に使用するための貸出処理と、前記会員カード３７或いはビジターカード３８が受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、該識別された金額に相当する度数（識別金額を１００で除算した値）を、受付けられている会員カード３７或いはビジターカード３８より読み出された度数である「０」に加算する入金処理と、以前の遊技にて貯蓄した貯蓄玉数を再度遊技に使用することのできる払戻処理と、を行うようになっている。
【０１１８】
まず、前記会員カード３７或いはビジターカード３８に残存する遊技用価値である度数を使用する使用処理について説明すると、前記カード挿入口３１９に会員カード３７或いはビジターカード３８が挿入された場合には、図１６に示す受付け処理が実施される。これら会員カード３７またはビジターカード３８が挿入されると、カードリーダライタ３２７は、該挿入された会員カード３７或いはビジターカード３８からカードＩＤと会員ＩＤ（会員カードのみ）並びにプリペイドＩＤと度数とを読み出して、使用許諾要求と読み出したカードＩＤ並びにプリペイドＩＤと度数とを各カードユニット３に個別に付与された装置ＩＤとともに前記システムコントローラ１００に送信する。
【０１１９】
これら使用許諾要求並びにカードＩＤ、プリペイドＩＤ、度数、装置ＩＤを受信したシステムコントローラ１００は、図８（ｂ）に示す前記カードマスターテーブルにおいて受信したカードＩＤ並びにプリペイドＩＤとに対応して登録されている残存度数と使用不可情報（フラグ）とを抽出し、前記カードユニット３より受信した度数と前記抽出した残存度数とを照合するとともに使用不可情報（フラグ）を確認して会員カード３７或いはビジターカード３８の使用の可否を判定する可否判定処理を行い、照合が一致するとともに使用不可情報（フラグ）に使用不可登録がなされていない場合において、会員カード３７またはビジターカード３８を使用可能と判断して使用許諾を送信元のカードユニット３（カードリーダライタ３２７）に返信する。また、前記照合において度数が一致しない場合には、カードユニット３（カードリーダライタ３２７）から受信した度数が、前記カードマスターテーブルに登録されている残存度数未満であるかを判別し、残存度数未満である場合には、該カードマスターテーブルの残存度数を、オフライン時における使用があったものと判断して前記受信した少ない方の度数に更新するとともに、使用許諾を送信元のカードユニット３（カードリーダライタ３２７）に返信する。
【０１２０】
また、前記カードマスターテーブルに該当するプリペイドＩＤが存在しない場合や受信した度数がカードマスターテーブルの残存度数を超える場合、並びに前記使用不可情報（フラグ）に使用不可登録がなされている場合には、使用不可を送信元のカードユニット３（カードリーダライタ３２７）に返信する。
【０１２１】
前記カードユニット３（カードリーダライタ３２７）が使用許諾を受信した場合には、挿入された会員カード３７或いはビジターカード３８を使用可能とし、前記読み出した会員ＩＤ（会員カード３７のみ）と度数とをカード取込通知とともに制御ユニット３２８に出力する。尚、システムコントローラ１００から使用不可を受信した場合には、会員カード３７或いはビジターカード３８を返却せずにエラーを表示して、係員のエラー解除（またはユニット交換）があるまでエラー状態で待機する。
【０１２２】
該出力を受けて制御ユニット３２８は、度数データを度数レジスタに記憶するととともに、会員ＩＤデータの出力があった場合には、挿入されたカードが会員カード３７であると判断して、該出力された会員ＩＤデータを会員ＩＤレジスタに記憶するととともに、会員管理コンピュータ１２０に対して会員ＩＤと装置ＩＤとを含む会員カード取込要求を送信する。
【０１２３】
該送信を受けて会員管理コンピュータ１２０は、送信されてきた会員ＩＤから会員を特定し、前記会員来店履歴データベース（図示略）の該会員の来店履歴に遊技開始時刻並びに受信した装置ＩＤに対応する遊技機の台番号を登録するとともに、受信した会員ＩＤに対応して登録されている来店日の日付が本日の日付であるかを判別し、来店日が本日の日付でない場合には、来店日の項目を本日の日付に更新するとともに、前記会員情報テーブルの来店回数に１を加算する。また、会員ポイント並びに貯蓄玉数と暗証番号とを前記会員情報テーブルから抽出して該会員ポイントに来店ポイント１００を付与加算更新し、新たな会員ポイントと貯蓄玉数と暗証番号とを含む会員カード取込応答を送信元の制御ユニット３２８に返信する。
【０１２４】
該会員カード取込応答の返信に基づき、制御ユニット３２８は、受信した貯蓄玉数と暗証番号とを貯蓄玉数レジスタ並びに暗証番号レジスタに記憶するとともに、前記貯蓄玉数が存在する場合であって該球数が所定の払出数に達している場合において、その再プレイ可能回数を前記会員カード用表示部３１４し、プレイ選択ボタン３１６又はエンターキー３１７からの入力待ち状態となる。
【０１２５】
この段階で、エンターキー３１７が選択された場合には１回の再プレイに相当する数のパチンコ球の払出指示がパチンコ機２へ出力されて、パチンコ機２の玉払出装置２９７からパチンコ球が払い出され、前記再プレイ可能回数から１が減算されて前記会員管理コンピュータ１２０へ使用通知が送信されて貯蓄玉数のデータが減算更新される。また、プレイ選択ボタン３１６が選択された場合には、前記度数レジスタに記憶されている度数を前記度数表示部３０９並びにパチンコ機２の度数表示部１７に表示し、貸出処理を行なうことで会員遊技者は前記度数を使用して遊技を実施できるようになる。尚、挿入されたカードがビジターカード３８である場合には、前述の会員管理コンピュータ１２０とのやりとりは省略されて、前記度数レジスタに記憶されている度数を前記度数表示部３０９並びにパチンコ機２の度数表示部１７に表示し、貸出処理を行なうようになっている。
【０１２６】
また、本実施例１のカードユニット３は、システムコントローラ１００との通信ができない状態（オフライン状態）であっても既に受付けている会員カード３７或いはビジターカード３８に残存する度数を使用できるようになっている。
【０１２７】
また、前記カードユニット３においては、前記会員カード３７或いはビジターカード３８が受付けられ、前記ＲＡＭ３３０に記憶されている度数が残存する場合、すなわち前記度数表示部３０９並びにパチンコ機２の度数表示部１７に度数が残存する場合に前記貸出ボタン１６が入力されることで、該度数を使用しての貸出処理が実施される。
【０１２８】
この貸出処理の制御状況について説明すると、前記パチンコ機２の賞球制御基板２３７は、前記カードユニット３の制御ユニット３２８と接続されて通信が可能な状態であるとスタンバイ状態となり、前記ＰＲＤＹをＬＯＷとする（Ｓ１）。
【０１２９】
このようにＰＲＤＹが出力されている状態において前記貸出ボタン１６が操作されると、制御ユニット３２８は、前記ＢＲＤＹをＬＯＷとし（Ｓ２）、この状態において、更に前記ＢＲＱをＬＯＷとする（Ｓ３）。
【０１３０】
次いで、前記賞球制御基板２３７は、前記ＢＲＤＹのＬＯＷを検出した状態においてＢＲＱのＬＯＷを検出すると、パチンコ玉の払い出しが可能であるか確認し、可能である場合には、前記ＥＸＳをＬＯＷとする（Ｓ４）。
【０１３１】
該ＥＸＳのＬＯＷを検出した制御ユニット３２８は、前記ＢＲＱをＨＩＧＨとし（Ｓ５）、該ＢＲＱのＨＩＧＨを検出した賞球制御基板２３７は、玉払出装置２９７に玉払出信号を出力し、これに基づき１度数に該当する玉数（本実施例１では２５玉）の払出が実施されるとともに、該払出の終了に基づき、前記ＥＸＳをＨＩＧＨとする（Ｓ６）。
【０１３２】
該ＥＸＳのＨＩＧＨを検出した制御ユニット３２８は、前記度数レジスタに記憶している度数から１度を減算するとともに、前記度数表示部１７に表示されている度数から１度を減算して表示更新する。
【０１３３】
制御ユニット３２８は、これら（Ｓ３）〜（Ｓ６）の信号制御並びに度数の減算更新制御、前記貸出単位変更ボタン３０６にて設置された貸出度数分繰返し実施し、これら制御が終了した後、ＢＲＤＹをＨＩＧＨとして（Ｓ７）、貸出処理を終了する。
【０１３４】
このようにカードユニット３の制御ユニット３２８から出力されるＢＲＱのＨＩＧＨの検出回数に基づき、前記賞球制御基板２３７は１度分に該当する数量（２５玉）のパチンコ玉の貸出を実施するようになっており、このようにして貸出されたパチンコ玉を使用して遊技者はパチンコ機２における遊技を実施できるようになっている。
【０１３５】
尚、本実施例１においては、前記Ｓ６が終了した段階で１度を減算するようにしているが、前記Ｓ３〜Ｓ６の処理を貸出度数分（例えば５度分の貸出であれば５回）繰返し実施した後、すなわち、貸出度数分のパチンコ玉が払い出された後、該貸し出された度数（例えば５度分の貸出であれば５度）を減算するようにしても良い。
【０１３６】
この会員カード３７或いはビジターカード３８による貸出処理の終了時に制御ユニット３２８は、カードリーダライタ３２７に、玉貸通知と該貸出処理により使用された使用度数を出力する。これに基づきカードリーダライタ３２７は、受付中の会員カード３７或いはビジターカード３８に記録されている度数を、前記制御ユニット３２８より受信した使用度数分減算した度数に更新記録するとともに、図１６に示すように、会員カード３７或いはビジターカード３８による貸出処理がなされたことを示す貸出度数のデータを含む貸出完了通知と挿入されている会員カード３７或いはビジターカード３８のカードＩＤとプリペイドＩＤと前記制御ユニット３２８より受信した使用度数並びに装置ＩＤとをシステムコントローラ１００に対して送信する。尚、システムコントローラ１００との通信が不能な状態（オフライン）である場合には、該通信不能である旨とシステムコントローラ１００に送信する予定であったカードＩＤとプリペイドＩＤと前記使用度数並びに装置ＩＤとを前記制御ユニット３２８に出力することで、制御ユニット３２８がＲＡＭ３３０に前記度数使用履歴を記憶し、該度数使用履歴をシステムコントローラ１００との通信が可能（オンライン）となった際に、これらＲＡＭ３３０に記憶されている度数使用履歴を再度制御ユニット３２８から受信して、システムコントローラ１００に送信する。
【０１３７】
また、これら貸出完了通知並びにカードＩＤ、プリペイドＩＤ、使用度数、装置ＩＤを受信したシステムコントローラ１００では、前記送信に基づいて該会員カード３７またはビジターカード３８の使用履歴を、図９に示す前記カード使用履歴テーブルに登録するとともに、前記カードマスターテーブルにおいて該当するプリペイドＩＤの残存度数から前記受信した使用度数を減算更新し、使用度数に対して前記受信した使用度数を加算更新するとともに、前記カードユニット別データテーブルの前記受信した装置ＩＤに該当する総使用度数並びに該当するカードの使用度数に対して前記受信した使用度数を加算更新する。
【０１３８】
更に、カードＩＤから特定されるカード種別が会員カード３７である場合には、前記図１０に示す会員遊技履歴テーブルに、前記貸出完了通知とともに受信した会員カード３７のカードＩＤの登録があるかを確認し、該登録が無い場合には該カードＩＤと、前記カードマスターテーブルにより該カードＩＤにて特定される会員ＩＤと、装置ＩＤ並びに前記使用度数とを登録する。尚、既に会員遊技履歴テーブルに受信したカードＩＤの登録がある場合においては、受信した装置ＩＤの登録があるかを確認し、登録がある場合にはその使用度数に受信した使用度数を加算更新し、受信した装置ＩＤの登録がない場合には個別の遊技と判断して新たな遊技として装置ＩＤと使用度数とを登録する。
【０１３９】
また、本実施例１のカードユニット３においては、前記度数を使用しての遊技を選択した後において、前記エンターキー３１７を選択することで、該受付中の会員カード３７の会員ＩＤにより特定される貯蓄玉数の払戻を行う払戻処理を実施できるようになっている。
【０１４０】
この払戻処理を図１６に基づき説明すると、前記会員カード３７が受付けられ、制御ユニット３２８の会員ＩＤレジスタに前記受付中の会員カード３７から読み出された会員ＩＤと度数レジスタに度数とが記憶されている場合に、プレイ選択ボタン３１６の選択操作により「貯蓄」が選択されると、暗証番号の入力待ちの状態となる。
【０１４１】
この状態で暗証番号が入力されると、制御ユニット３２８は、前述のように、会員カード挿入時に会員管理コンピュータ１２０より受信した会員カード取込応答に基づき暗証番号レジスタに記憶されている暗証番号と入力された暗証番号とを照合する。この照合において暗証番号が一致した場合には、前記貯蓄玉数レジスタに記憶されている貯蓄玉数に基づいて算出した再プレイ可能回数を会員カード用表示部３１４に表示し、これら表示されている再プレイ可能回数が残存する場合において貯蓄玉数の払戻が可能な状態となる。
【０１４２】
この状態において、エンターキー３１７が入力されると、前述の貸出処理とほぼ同様の要領でパチンコ機２における所定玉数の払出が実施される。
【０１４３】
この際、前記制御ユニット３２８は、記憶されている貯蓄玉数から払い出された玉数を減算更新し、会員カード用表示部３１４に表示されている再プレイ可能回数を１回分減算更新する。また、図１６に示すように、前記制御ユニット３２８は、貯蓄玉数の払戻がなされた旨を示す払戻完了通知と払戻玉数と受付中の会員カード３７の会員ＩＤと装置ＩＤとを会員管理コンピュータ１２０に対して送信するようになっている。
【０１４４】
また、これら払戻完了通知並びに払戻玉数、会員ＩＤ、装置ＩＤを受信した会員管理コンピュータ１２０では、会員管理ＤＢの会員情報テーブルにおいて前記受信した会員ＩＤに該当する貯蓄玉数から、前記受信した払出玉数を減算更新するようになっている。
【０１４５】
次いで、前記入金処理を図１６に基づき説明すると、会員カード３７或いはビジターカード３８が受付中で、該会員カード３７或いはビジターカード３８より読み出された度数が残存しない場合（０度の場合）に、紙幣（１０００円紙幣、２０００円紙幣、５０００円紙幣、１００００円紙幣）または硬貨（１００円硬貨、５００円硬貨）が挿入または投入されると、紙幣識別ユニット３２２または硬貨識別ユニット３２４において挿入された紙幣または投入された硬貨の真贋と金額（紙幣種別、硬貨種別）が識別され、識別結果が前記制御ユニット３２８に出力される。
【０１４６】
この出力された識別結果が識別エラーである場合（正規の貨幣でないと判断した場合）に制御ユニット３２８は、該受付け貨幣の返却指示を紙幣識別ユニット３２２および／または硬貨識別ユニット３２４に出力し、該非正規と識別された貨幣が排出、返却される。
【０１４７】
また、前記投入紙幣の識別結果が真券（正規）である場合には、紙幣種別の情報を含む識別情報が制御ユニット３２８に出力されることに基づき該制御ユニット３２８は、出力された識別情報に基づく投入金額を度数（投入金額を１００で除算した値）に変換し、該変換した度数（入金度数）と受付け金種と数量とを含む入金金種情報をカードリーダライタ３２７に出力する。
【０１４８】
また、制御ユニット３２８は、該カードリーダライタ３２７への入金金種情報の出力の後、前記ＣＣＤカメラ３１８に対して撮像指令を出力し、ＣＣＤカメラ３１８は該撮像指令に基づき撮像を行うとともに、該撮像画像の撮像データを前記ＲＡＭ３３０に一時記憶した後、システムコントローラ１００からの入金（プリペイド）ＩＤの受信待ちとなる。
【０１４９】
前記入金金種情報の出力を受けたカードリーダライタ３２７は、該入金金種情報に含まれる度数（入金度数）と受付け金種と受付中の会員カード３７或いはビジターカード３８から読み出したカードＩＤと装置ＩＤとを含む入金情報をシステムコントローラ１００に送信する。
【０１５０】
この入金情報を受信したシステムコントローラ１００では、プリペイドＩＤを生成し、該生成したプリペイドＩＤと、前記受信した入金情報に含まれるカードユニット３の装置ＩＤと、入金度数と、残存度数とを前記受信した入金情報に含まれるカードＩＤに対応付けてカードマスターテーブルに更新登録する。この際、システムコントローラ１００は、前記カードユニット別データテーブルのビジターカード入金額或いは会員カード入金金額に、該入金度数に対応する金額を加算更新登録するとともに、前記入金情報に基づく受付け金種の加算登録を該カードユニット別データテーブルの該当金種に対して実施する。
【０１５１】
更にシステムコントローラ１００は、前記入金情報に含まれる受付け貨幣金種の情報からカードユニット３にて受付けた貨幣金種の金額を特定し、該特定した金額が前記送信条件設定画面（図２０参照）にて高額貨幣受付けの高額定義に設定されている所定金額（本実施例１では５０００円）以上であるか否かを判定し、所定金額（本実施例１では５０００円）以上である場合において、前記にて生成したプリペイドＩＤとともに、該カードユニット３において撮像された画像データの送信指示をカードユニット３に返信する。
【０１５２】
システムコントローラ１００よりプリペイドＩＤの返信を受けたカードリーダライタ３２７においては、受付中の会員カード３７或いはビジターカード３８に記録されているプリペイドＩＤ並びに度数、入金装置の装置ＩＤを、前記システムコントローラ１００より受信したプリペイドＩＤ並びに入金度数、当該カードユニット３の装置ＩＤに各々更新記録するとともに、更新完了を制御ユニット３２８に送信する。
【０１５３】
カードリーダライタ３２７より更新完了を受信した制御ユニット３２８では、前記ＲＡＭ３３０に記憶されている度数を前記変換した入金度数に更新し、該更新した度数を前記度数表示部３０９並びに度数表示部１７に表示することで、遊技者は更新された度数に基づく前記貸出処理の実施が行えるようになる。
【０１５４】
また、前記制御ユニット３２８への更新完了の出力後においてカードリーダライタ３２７は、前記プリペイドＩＤの受信とともに送信指示を受信したかを判定し、システムコントローラ１００からの送信指示の受信がある場合において、前記にてＣＣＤカメラ３１８により撮像されてＲＡＭ３３０に一時記憶されている撮像データを制御ユニット３２８から入手し、該撮像データと装置ＩＤとカードＩＤとを含む入金完了通知をシステムコントローラ１００に送信する。
【０１５５】
このカードユニット３からの入金完了通知の受信に基づいて、システムコントローラ１００は、カードユニット３における入金処理が完了したものと判定し、図９に示すカード使用履歴テーブルに、該入金完了通知の受信時刻を使用時刻として記録するとともに、入金完了通知に含まれるカードＩＤが「カードＩＤ」の項目に、「処理種別」の項目には入金が、「処理度数」には当該カードユニット３から受信した前記入金情報に含まれる入金度数が、「受付け金種」には前記入金情報に含まれる受付け金種の金額が、「処理装置」には入金完了通知に含まれる装置ＩＤが、該入金完了通知の受信に基づいて処理状況には「正常」が記憶されるとともに、入金完了通知に撮像データが含まれる場合には、該送信されてきた画像データへのパスデータが「撮像画像」の項目に記憶されることで、カードユニット３にて撮像された撮像データと入金履歴とが対応付けて記憶、管理されるようになっている。
【０１５６】
尚、本実施例１に用いた前記入金装置２１における入金処理も前記したカードユニット３における入金処理と同様に処理され、前記システムコントローラ１００に新たに発行されたプリペイドＩＤに対応付けて入金金額に相当する度数が登録されるようになっている。但し、この場合において入金された装置の項目には、入金装置２１を示す固有のＩＤが登録されるようになっている。
【０１５７】
また、本実施例１では、入金装置２１にも図示しないＣＣＤカメラを設けており、該入金装置２１にてカードユニット３における入金の場合と同様に、貨幣の受付けに基づいて撮像が実施され、システムコントローラ１００からの送信指示の受信があった場合に、入金完了通知に該撮像された撮像データが含まれて送信されて、カード使用履歴テーブルに入金履歴に対応付けて記憶、管理されるようになっている。
【０１５８】
これら前記したカード使用履歴テーブルに記憶、管理された撮像データは、システムコントローラ１００に設けられている図示しない「高額貨幣受付け履歴表示」の選択操作部を選択入力することで、前記カード使用履歴テーブル（本日分）に登録された入金、発行履歴の内、画像データへのパスデータが記憶されている入金、発行履歴が全て抽出されるとともに、その入金履歴または発行履歴に含まれる装置ＩＤ毎に入金履歴または発行履歴がまとめられて、図２１に示す高額貨幣受付け履歴画面に示すように、各装置ＩＤ毎にまとめられた入金履歴または発行履歴が各履歴に記録された処理時間順に、各処理時間に対応付けてその入金履歴または発行履歴に対応して記録されている受付け金種と画像データへのリンクが表示装置１０７に表示されるようになっているとともに、プリンタ１０８にて印刷出力できるようになっていて、これら各高額受付け時刻に対応して表示された「画像」の表示を選択することで、その入金或いは発行時に撮像された画像を表示装置１０７に簡便に表示させることができるようになっている。
【０１５９】
また、前記画像データへのパスデータの記憶を有する入金履歴の登録があった場合にシステムコントローラ１００は、当該入金履歴に記憶されている装置ＩＤと同一の装置ＩＤが記録され、且つ画像データへのパスデータの記憶を有する入金履歴をカード使用履歴テーブルから抽出し、該抽出した入金履歴に基づいて該装置ＩＤのカードユニット３（或いは入金装置２１）において、図２０の送信条件設定画面の要注意報知条件設定の設定条件である、所定期間である３時間以内において高額貨幣受付けが所定回数である５回以上実施されたか否かを、当該装置ＩＤが記憶され、且つ画像データへのパスデータの記憶された入金履歴の数が、３時間以内に５以上存在するか否かを集計することで判定し、５以上存在する場合には、図２２に示すように、該カードユニット３（或いは入金装置２１）の当該装置ＩＤの表示を含む報知ウインドウが、システムコントローラ１００の表示装置１０７に表示されることで、該該装置ＩＤのカードユニット３（或いは入金装置２１）にて要注意報知条件が成立したことを報知するようになっている。
【０１６０】
このように報知ウインドウを表示することは、所定期間内に所定回数以上の高額貨幣の受付けによる入金があったこととともに、そのカードユニット３（或いは入金装置２１）を特定可能な識別情報である装置ＩＤが報知されるので、どのカードユニット３（或いは入金装置２１）にて所定期間内に所定回数以上の高額貨幣の受付けによる発行があったかを容易に特定でき、迅速な対応を実施できるようになることから好ましいが、本発明はこれに限定されるものではなく、これら報知ウインドウによる報知を実施しない構成としても良い。
【０１６１】
また、本実施例１のカードユニット３においては、前記返却ボタン１５が入力されると、該操作が前記制御ユニット３２８により検出され、該制御ユニット３２８は前記カードリーダライタ３２７へカード排出指示を出力し、カードリーダライタ３２７によるカード挿入口３１９からの会員カード３７或いはビジターカード３８の排出を実施させて会員カード３７或いはビジターカード３８を遊技者に返却するようになっている。
【０１６２】
また、この返却時においては、挿入中のカードが会員カード３７である場合に、前記制御ユニット３２８は会員管理コンピュータ１２０へ、前記会員補給球数（ＩＮ）レジスタ並びに会員アウト球数（ＯＵＴ）レジスタの情報並びに前記会員特賞回数レジスタに記憶されている補給球数（ＩＮ）と打ち込み球数（ＯＵＴ）と大当り回数の各データと、返却される会員カードの会員ＩＤ並びに装置ＩＤとを含む会員カード抜き取り通知を送信する。この会員カード抜き取り通知を受信することにより、会員管理コンピュータ１２０は、該会員カードの挿入時において前記会員来店履歴データベース（ＤＢ）に登録した前記遊技開始時刻に対応する遊技終了時刻にその時点の時間を登録してこれら開始並びに終了時間から遊技時間を算出して登録するとともに、前記受信した大当り回数を登録する。
【０１６３】
また、前記にて受信した前記補給球数（ＩＮ）と打ち込み球数（ＯＵＴ）との差数から該会員遊技者の遊技における遊技場側の支出を算出し、前記会員来店履歴データベース（ＤＢ）に登録した後、前記システムコントローラ１００に対して該会員遊技者の会員ＩＤと装置ＩＤとを送信して使用度数照会を実施することで、前記会員遊技履歴テーブルに登録されている該当する使用度数を入手して、該入手した使用度数に基づきその会員遊技者が該遊技にて使用した消費（売上）金額を特定して前記会員来店履歴データベース（ＤＢ）の売上金額に登録し、この売上金額と前記の支出金額より収支金額を算出登録するとともに、その遊技場から見た勝ち負けを登録することで、各会員遊技者の遊技履歴の情報が収集されて前記会員来店履歴データベース（ＤＢ）に記憶、管理されるようになっており、これら各会員の収支等の情報が個人履歴画面（図示略）にて表示される。
【０１６４】
また、前記会員カード３７或いはビジターカード３８に度数が余ってしまった場合には、入金或いは発行後の所定期間（本実施例１では３日間以内）であれば、前記精算装置２２に会員カード３７或いはビジターカード３８を挿入することで、該会員カード３７或いはビジターカード３８に記録されているプリペイドＩＤ並びに度数とが、該プリペイドＩＤにより前記カードマスターテーブルにて特定される大きさの遊技用価値である度数の大きさが一致する場合であって、該会員カード３７或いはビジターカード３８が無効とされていない場合において該度数の現金への精算が実施された後、該精算の履歴が前記図９に示すカード使用履歴テーブルに記憶、管理される。
【０１６５】
以上説明したように、本実施例１の遊技用システムを用いることで、前記価値加算処理である入金処理を行う遊技用装置であるカードユニット３や入金装置２１、或いは前記発行処理を行う遊技用装置であるカード発行機２３にて予め定められた所定額以上の高額貨幣を使用した操作者の画像が、記憶装置であるシステムコントローラ１００に記憶されるので、不正な入金を行った不審者或いは偽貨幣を使用した不審者は、通常において高額の紙幣を使用することから、これらの不審者を含む高額貨幣利用者の画像が、遊技用装置であるカードユニット３や入金装置２１、カード発行機２３にて撮像されて記憶装置であるシステムコントローラ１００に送信されて記憶されることで、これらの不審者の特定に役立てることができる。
【０１６６】
尚、本実施例１では、高額貨幣受付けであるか否かの判定を前記システムコントローラ１００において実施し、高額貨幣受付けである場合に、システムコントローラ１００からカードユニット３やカード発行機２３に対して撮像画像の送信指示が送信される構成としているが、本発明はこれに限定されるものではなく、例えば、送信条件の設定内容を遊技用装置であるカードユニット３や入金装置２１、カード発行機２３に営業開始以前の起動時等において配信しておき、各遊技用装置であるカードユニット３や入金装置２１、カード発行機２３において高額貨幣受付けであるか否かを判定するようにすることで、これらの判定に伴う前記システムコントローラ１００との通信負荷を低減できるようにしても良い。さらに、この場合、本実施例のように、カードユニット３やカード発行機２３の制御部（制御ユニット３２８、ＭＰＵ４２３）によって、貨幣の受付けに基づいて行われるＣＣＤカメラ３１８、４２５、４２６による撮像や撮像した画像の一時記憶（システムコントローラ１００に送信する以前における記憶）が制御される場合には、カードユニット３やカード発行機２３の制御部（制御ユニット３２８、ＭＰＵ４２３）が高額貨幣受付けであるか否かを判定し、高額貨幣受付けであると判定したときに前記一時記憶した撮像画像をシステムコントローラ１００に送信するようにすれば良い。
【０１６７】
また、貨幣の受付けに基づいて行われるＣＣＤカメラ３１８、４２５、４２６による撮像や撮像した画像の一時記憶（システムコントローラ１００に送信する以前の記憶）が、カードユニット３やカード発行機２３の制御部（制御ユニット３２８、ＭＰＵ４２３）とは別の制御部（撮像制御部）により制御されている場合には、カードユニット３やカード発行機２３の制御部（制御ユニット３２８、ＭＰＵ４２３）が高額貨幣受付けであるか否かを判定し、高額貨幣受付けであると判定したときに、前記制御部（撮像制御部）に対して一時記憶した撮像画像をシステムコントローラ１００へ送信するよう指示を出力するようにすれば良い。
【０１６８】
（実施例２）
次に、本発明の請求項２、請求項５に対応する実施例２について説明する。尚、本実施例２の遊技用システムは、前記実施例１の遊技用システムと、その構成は同一であることから、遊技用システムを構成する各機器等の構成に関しては、その説明を省略するものとし、前記実施例１と異なる点、特に、管理装置としてのシステムコントローラ１００と遊技用装置であるカード発行機２３並びにカードユニット３との間における処理内容と、システムコントローラ１００におけるデータの管理状況について詳述する。
【０１６９】
尚、本実施例２の遊技用装置であるカード発行機２３並びにカードユニット３並びに入金装置２１においては、前記実施例１のカード発行機２３、カードユニット３、入金装置２１が、ＣＣＤカメラ４２５，４２６、３１８により貨幣受付けに基づいて撮像した画像データを、記録装置としてのシステムコントローラ１００からの送信指示に基づいて、該システムコントローラ１００に送信するようにしていたのに対し、本実施例２のカード発行機２３、カードユニット３、入金装置２１では、ＣＣＤカメラ４２５，４２６、３１８により貨幣の受付けに基づいて撮像した画像データを、管理装置であるシステムコントローラ１００に、撮像の都度、つまり貨幣受付けの都度、一義的に送信するようになっている。
【０１７０】
また、前記実施例１では、図２０に示す送信条件設定画面において、遊技用装置であるカード発行機２３、カードユニット３、入金装置２１から撮像した画像データを送信させるための送信指示を送信する条件である高額貨幣受付けの内容を定義できるようになっているが、本実施例２では、前記したように、遊技用装置であるカード発行機２３、カードユニット３、入金装置２１が貨幣の受付けに基づいて操作者の撮像を実施して一時記憶するとともに、該撮像した全ての画像を管理装置であるシステムコントローラ１００に送信し、該システムコントローラ１００にて全ての入金、発行に伴う貨幣受付けにおける撮像画像を記憶、管理するようにしていることから、前記送信条件設定画面に代えて、これらシステムコントローラ１００にて記憶、管理している操作者の撮像画像から、不正な貨幣を使用した可能性が高い高額貨幣受付けによる発行・入金のみを抽出するための高額貨幣受付けと判断する受付け貨幣の金額を、図２６に示す抽出条件設定画面にて定義できるようになっており、該抽出条件設定画面にて定義されている高額貨幣受付けに該当する発行履歴或いは入金履歴と該発行履歴或いは入金履歴に対応して記憶、管理されている画像が抽出されるようになっている。
【０１７１】
まず、本実施例２のシステムコントローラ１００と価値加算処理である入金処理を行う遊技用装置としてのカードユニット３との間における入金処理に関する処理内容について、図２３を用いて説明すると、会員カード３７或いはビジターカード３８が受付中で、該会員カード３７或いはビジターカード３８より読み出された度数が残存しない場合（０度の場合）に、紙幣（１０００円紙幣、２０００円紙幣、５０００円紙幣、１００００円紙幣）または硬貨（１００円硬貨、５００円硬貨）が挿入または投入されると、紙幣識別ユニット３２２または硬貨識別ユニット３２４において挿入された紙幣または投入された硬貨の真贋と金額が識別され、識別結果が前記制御ユニット３２８に出力される。
【０１７２】
この出力された識別結果が識別エラーである場合（正規の貨幣でないと判断した場合）に制御ユニット３２８は、該受付け貨幣の返却指示を紙幣識別ユニット３２２および／または硬貨識別ユニット３２４に出力し、該非正規と識別された貨幣が排出、返却される。
【０１７３】
また、前記投入紙幣の識別結果が真券（正規）である場合には、紙幣種別の情報を含む識別情報が制御ユニット３２８に出力されることに基づき該制御ユニット３２８は、出力された識別情報に基づく投入金額を度数（投入金額を１００で除算した値）に変換し、該変換した度数（入金度数）と受付け金種と数量とを含む入金金種情報をカードリーダライタ３２７に出力する。
【０１７４】
また、制御ユニット３２８は、該カードリーダライタ３２７への入金金種情報の出力の後、前記ＣＣＤカメラ３１８に対して撮像指令を出力し、ＣＣＤカメラ３１８は該撮像指令に基づき撮像を行うとともに、該撮像画像の撮像データを前記ＲＡＭ３３０に一時記憶した後、システムコントローラ１００からの入金（プリペイド）ＩＤの受信待ちとなる。
【０１７５】
前記入金金種情報の出力を受けたカードリーダライタ３２７は、該入金金種情報に含まれる度数（入金度数）と受付け金種と受付中の会員カード３７或いはビジターカード３８から読み出したカードＩＤと装置ＩＤとを含む入金情報をシステムコントローラ１００に送信する。
【０１７６】
この入金情報を受信したシステムコントローラ１００では、プリペイドＩＤを生成し、該生成したプリペイドＩＤと、前記受信した入金情報に含まれるカードユニット３の装置ＩＤと、入金度数と、残存度数とを前記受信した入金情報に含まれるカードＩＤに対応付けてカードマスターテーブルに更新登録する。この際、システムコントローラ１００は、前記カードユニット別データテーブルのビジターカード入金額或いは会員カード入金金額に、該入金度数に対応する金額を加算更新登録するとともに、前記入金情報に基づく受付け金種の加算登録を該カードユニット別データテーブルの該当金種に対して実施する。
【０１７７】
システムコントローラ１００よりプリペイドＩＤの返信を受けたカードリーダライタ３２７においては、受付中の会員カード３７或いはビジターカード３８に記録されているプリペイドＩＤ並びに度数、入金装置の装置ＩＤを、前記システムコントローラ１００より受信したプリペイドＩＤ並びに入金度数、当該カードユニット３の装置ＩＤに各々更新記録するとともに、更新完了を制御ユニット３２８に送信する。
【０１７８】
カードリーダライタ３２７より更新完了を受信した制御ユニット３２８では、前記ＲＡＭ３３０に記憶されている度数を前記変換した入金度数に更新し、該更新した度数を前記度数表示部３０９並びに度数表示部１７に表示することで、遊技者は更新された度数に基づく前記貸出処理の実施が行えるようになる。
【０１７９】
また、前記制御ユニット３２８への更新完了の出力後においてカードリーダライタ３２７は、前記にてＣＣＤカメラ３１８により撮像されてＲＡＭ３３０に一時記憶されている撮像データを制御ユニット３２８から入手し、該撮像データと装置ＩＤとカードＩＤとを含む入金完了通知をシステムコントローラ１００に送信する。
【０１８０】
このカードユニット３からの入金完了通知の受信に基づいて、システムコントローラ１００は、カードユニット３における入金処理が完了したものと判定し、図２５に示すカード使用履歴テーブルに、該入金完了通知の受信時刻を使用時刻として記録するとともに、入金完了通知に含まれるカードＩＤが「カードＩＤ」の項目に、「処理種別」の項目には入金が、「処理度数」には当該カードユニット３から受信した前記入金情報に含まれる入金度数が、「受付け金種」には前記入金情報に含まれる受付け金種の金額が、「処理装置」には入金完了通知に含まれる装置ＩＤが、該入金完了通知の受信に基づいて処理状況には「正常」が記憶されるとともに、入金完了通知に含まれる撮像データへのパスデータが「撮像画像」の項目に記憶されることで、カードユニット３にて撮像された撮像データと入金履歴とが対応付けて記憶、管理されるようになっている。
【０１８１】
また、本実施例２でも、入金装置２１に図示しないＣＣＤカメラを設けており、該入金装置２１にてカードユニット３における入金の場合と同様に、貨幣の受付けに基づいて撮像が実施され、入金完了通知に該撮像された撮像データが含まれて送信されて、図２５に示すカード使用履歴テーブルに入金履歴に対応付けて該画像データへのパスデータが記憶、管理されるようになっている。
【０１８２】
次いで、本実施例２のシステムコントローラ１００と発行処理を行う遊技用装置としてのカード発行機２３との間における発行処理に関する処理内容について、図２４を用いて説明すると、まず遊技者が新規にビジターカード３８の発行を受ける場合には、発行に供したい所望の金額以上の紙幣を紙幣挿入口４０４より挿入する。
【０１８３】
この挿入された紙幣は、前記紙幣識別ユニット４１６により識別され、該投入紙幣の識別結果が真券（正規の貨幣）である場合には、紙幣種別の情報を含む識別情報がＭＰＵ４２３に出力されることに基づきＭＰＵ４２３は、挿入された紙幣の合計金額を算出して前記金額表示部４０７に表示するとともに、前記記憶部４２１に一時記憶する。
【０１８４】
この状態で発行額選択ボタン４０８における発行額（１０００円、３０００円、５０００円、１００００円のいずれか一つ）が選択入力されると、前記ＭＰＵ４２３は、前記選択入力されたビジターカード３８の発行額を特定し、該特定した発行額を度数（発行度数）に変換する。
【０１８５】
次いで発行するビジターカード３８をＩＣカードリーダライタ４１５にセットし、該ビジターカード３８のメモリチェックを実施した後、これらチェックにおいて異常がなければカードＩＤを読み出し、該読み出したカードＩＤと前記紙幣識別ユニット４１６によって正規の紙幣と識別された紙幣種別の中で最も金額の大きな紙幣の金種を特定可能な情報である受付け貨幣金種と、発行度数と、装置ＩＤ並びに発行許諾要求とを含む発行情報を前記システムコントローラ１００に送信するとともに、前記ＣＣＤカメラ４２５，４２６により撮像を実施して該撮像画像のデータを一時記憶した後、システムコントローラ１００からの発行許諾の受信待ちとなる。
【０１８６】
前記発行情報の受信に基づいて管理コンピュータ１００は、受信したカードＩＤが使用不可に登録されていないか等を確認した後、プリペイドＩＤを生成するとともに、該生成したプリペイドＩＤと発行度数とをカードマスターテーブルに登録する。
【０１８７】
このシステムコントローラ１００から発行許諾が返信された場合にＭＰＵ４２３は、前記ＩＣカードリーダライタ４１５にセットしたビジターカード３８に前記変換した発行度数と、該発行許諾とともに受信したプリペイドＩＤとを記録した後、カード発行口４０２より排出・発行する。この際、前記識別された紙幣は紙幣識別ユニット４１６に連設された紙幣ストッカ（図示略）に回収される。
【０１８８】
また、前記挿入された紙幣の合計金額が、発行したビジターカード３８の発行額を上回る場合においてＭＰＵ４２３は、前記合計金額より発行額を減算した釣り銭金額を算出し、前記紙幣払出ユニット４１９により前記算出した釣り銭金額分の紙幣を前記紙幣排出口４１３より排出する。
【０１８９】
これらの発行処理の完了に基づいてＭＰＵ４２３は、前記にてＣＣＤカメラ４２５，４２６により撮像し一時記憶した撮像データと装置ＩＤと発行したカードＩＤとを含む発行完了通知をシステムコントローラ１００に送信した後、新たな貨幣受付けの待機状態に移行する。
【０１９０】
このカード発行機２３からの発行完了通知の受信に基づいて、システムコントローラ１００は、ビジターカード３８の発行が完了したものと判定し、図２５に示すカード使用履歴テーブルに、該発行完了通知の受信時刻を使用時刻として記録するとともに、発行完了通知に含まれるカードＩＤが「カードＩＤ」の項目に、「処理種別」の項目には発行が、「処理度数」には当該カード発行機２３から受信した前記発行情報に含まれる発行度数が、「受付け金種」には前記発行情報に含まれる受付け金種の金額が、「処理装置」には発行完了通知に含まれる装置ＩＤが、該発行完了通知の受信に基づいて処理状況には「正常」が記憶されるとともに、発行完了通知に含まれる画像データへのパスデータが「撮像画像」の項目に記憶されることで、カード発行機２３にて撮像された撮像データと発行履歴とが対応付けて記憶、管理されるようになっている。
【０１９１】
これら図２５に示すカード使用履歴テーブルに記憶、管理された撮像データは、システムコントローラ１００に設けられている図示しない「高額貨幣受付け履歴表示」の選択操作部を選択入力することで、前記カード使用履歴テーブル（本日分）に登録された入金、発行履歴の内、「受付金種」に記憶された金額が、前記抽出条件設定画面（図２６参照）にて高額貨幣受付けの高額定義に設定されている所定金額（本実施例２では５０００円）以上である入金、発行履歴と該履歴に登録されている画像とが全て抽出されるとともに、該抽出された入金履歴または発行履歴に含まれる装置ＩＤ毎に入金履歴または発行履歴がまとめられて、図２７に示す高額貨幣受付け履歴画面に示すように、各装置ＩＤ毎にまとめられた入金履歴または発行履歴が各履歴に記録された処理時間順に、各処理時間に対応付けてその入金履歴または発行履歴に対応して記録されている受付け金種と画像データへのリンクが表示装置１０７に表示されるようになっているとともに、プリンタ１０８にて印刷出力できるようになっていて、これら各高額受付け時刻に対応して表示された「画像」の表示を選択することで、その入金或いは発行時に撮像された画像を表示装置１０７に簡便に表示させることができるようになっている。
【０１９２】
また、これら高額貨幣受付け履歴画面の表示に際してシステムコントローラ１００は、図２６の抽出条件設定画面の要注意報知条件設定の設定条件である、所定期間である３時間以内において高額貨幣受付けが所定回数である５回以上実施された遊技用装置を、各装置ＩＤ毎にまとめた入金履歴または発行履歴に基づいて特定し、該要注意報知条件設定の設定条件を満たす遊技用装置であるカード発行機２３、カードユニット３、入金装置２１の装置ＩＤの表示を含む報知ウインドウを、図２８に示すように表示するようになっている。
【０１９３】
このように報知ウインドウを表示することは、所定期間内に所定回数以上の高額貨幣の受付けによる入金或いは発行があったこととともに、その遊技用装置であるカード発行機２３、カードユニット３、入金装置２１を特定可能な識別情報である装置ＩＤが報知されるので、どの遊技用装置であるカード発行機２３、カードユニット３、入金装置２１にて所定期間内に所定回数以上の高額貨幣の受付けによる発行があったかを容易に特定でき、迅速な対応を実施できるようになることから好ましいが、本発明はこれに限定されるものではなく、これら報知ウインドウによる報知を実施しない構成としても良い。
【０１９４】
以上説明したように、本実施例２の遊技用システムを用いることで、前記価値加算処理である入金処理を行う遊技用装置であるカードユニット３や入金装置２１、或いは前記発行処理を行う遊技用装置であるカード発行機２３にて予め定められた所定額以上の高額貨幣を使用した操作者の画像が、前記ＣＰＵ１０２が抽出手段として機能することで、前記価値加算処理履歴管理手段としてのカード使用履歴テーブルに記憶されている撮像画像の中から、前記高額貨幣受付け履歴画面に示すように抽出されるので、不正な入金を行った不審者或いは偽貨幣を使用した不審者は、通常において高額の紙幣を使用することから、これらの不審者を含む高額貨幣利用者の画像が抽出されることで、これらの不審者の特定に役立てることができる。
【０１９５】
（実施例３）
次に、本発明の請求項３、請求項６に対応する実施例３について説明する。尚、本実施例３の遊技用システムも、前記実施例１の遊技用システムと、その構成は同一であることから、遊技用システムを構成する各機器等の構成に関しては、その説明を省略するものとし、前記実施例１と異なる点、特に、管理装置としてのシステムコントローラ１００と遊技用装置であるカード発行機２３並びにカードユニット３との間における処理内容と、システムコントローラ１００におけるデータの管理状況について詳述する。
【０１９６】
尚、本実施例３の遊技用装置であるカード発行機２３並びにカードユニット３並びに入金装置２１においては、前記実施例１のカード発行機２３、カードユニット３、入金装置２１が、ＣＣＤカメラ４２５，４２６、３１８により貨幣受付けに基づいて撮像した画像データを、記録装置としてのシステムコントローラ１００からの送信指示に基づいて、該システムコントローラ１００に送信するようにしていたのに対し、本実施例３のカード発行機２３、カードユニット３、入金装置２１では、前記実施例２の場合と同様に、ＣＣＤカメラ４２５，４２６、３１８により貨幣の受付け基づいて撮像した画像データを、管理装置であるシステムコントローラ１００に、撮像の都度、つまり貨幣受付けの都度、一義的に送信するようになっている。
【０１９７】
また、前記実施例３では、図３２に示す記録条件設定画面において、遊技用装置であるカード発行機２３、カードユニット３、入金装置２１から、撮像した画像データを送信させるための送信指示を送信する条件である高額貨幣受付けの内容を定義できるようになっているが、本実施例３では、前記したように、遊技用装置であるカード発行機２３、カードユニット３、入金装置２１が貨幣の受付けに基づいて、操作者の撮像を実施して一時記憶するとともに、該撮像した全ての画像を管理装置であるシステムコントローラ１００に送信するようにしていることから、前記送信条件設定画面に代えて、これらシステムコントローラ１００にて受信した撮像画像から、不正な貨幣を使用した可能性が高い高額貨幣受付けによる発行・入金における撮像画像のみを記録するための高額貨幣受付けと判断する受付け貨幣の金額を、図３２に示す記録条件設定画面にて定義できるようになっており、該記録条件設定画面にて定義されている高額貨幣受付けに該当する発行或いは入金において撮像された撮像データのみが、当該発行履歴或いは入金履歴に対応して記憶、管理されるようになっている。
【０１９８】
まず、本実施例３のシステムコントローラ１００と価値加算処理である入金処理を行う遊技用装置としてのカードユニット３との間における入金処理に関する処理内容について、図２９を用いて説明すると、会員カード３７或いはビジターカード３８が受付中で、該会員カード３７或いはビジターカード３８より読み出された度数が残存しない場合（０度の場合）に、紙幣（１０００円紙幣、２０００円紙幣、５０００円紙幣、１００００円紙幣）または硬貨（１００円硬貨、５００円硬貨）が挿入または投入されると、紙幣識別ユニット３２２または硬貨識別ユニット３２４において挿入された紙幣または投入された硬貨の真贋と金額が識別され、識別結果が前記制御ユニット３２８に出力される。
【０１９９】
この出力された識別結果が識別エラーである場合（正規の貨幣でないと判断した場合）に制御ユニット３２８は、該受付け貨幣の返却指示を紙幣識別ユニット３２２および／または硬貨識別ユニット３２４に出力し、該非正規と識別された貨幣が排出、返却される。
【０２００】
また、前記投入紙幣の識別結果が真券（正規）である場合には、紙幣種別の情報を含む識別情報が制御ユニット３２８に出力されることに基づき該制御ユニット３２８は、出力された識別情報に基づく投入金額を度数（投入金額を１００で除算した値）に変換し、該変換した度数（入金度数）と受付け金種と数量とを含む入金金種情報をカードリーダライタ３２７に出力する。
【０２０１】
また、制御ユニット３２８は、該カードリーダライタ３２７への入金金種情報の出力の後、前記ＣＣＤカメラ３１８に対して撮像指令を出力し、ＣＣＤカメラ３１８は該撮像指令に基づき撮像を行うとともに、該撮像画像の撮像データを前記ＲＡＭ３３０に一時記憶した後、システムコントローラ１００からの入金（プリペイド）ＩＤの受信待ちとなる。
【０２０２】
前記入金金種情報の出力を受けたカードリーダライタ３２７は、該入金金種情報に含まれる度数（入金度数）と受付け金種と受付中の会員カード３７或いはビジターカード３８から読み出したカードＩＤと装置ＩＤとを含む入金情報をシステムコントローラ１００に送信する。
【０２０３】
この入金情報を受信したシステムコントローラ１００では、プリペイドＩＤを生成し、該生成したプリペイドＩＤと、前記受信した入金情報に含まれるカードユニット３の装置ＩＤと、入金度数と、残存度数とを前記受信した入金情報に含まれるカードＩＤに対応付けてカードマスターテーブルに更新登録する。この際、システムコントローラ１００は、前記カードユニット別データテーブルのビジターカード入金額或いは会員カード入金金額に、該入金度数に対応する金額を加算更新登録するとともに、前記入金情報に基づく受付け金種の加算登録を該カードユニット別データテーブルの該当金種に対して実施する。
【０２０４】
システムコントローラ１００よりプリペイドＩＤの返信を受けたカードリーダライタ３２７においては、受付中の会員カード３７或いはビジターカード３８に記録されているプリペイドＩＤ並びに度数、入金装置の装置ＩＤを、前記システムコントローラ１００より受信したプリペイドＩＤ並びに入金度数、当該カードユニット３の装置ＩＤに各々更新記録するとともに、更新完了を制御ユニット３２８に送信する。
【０２０５】
カードリーダライタ３２７より更新完了を受信した制御ユニット３２８では、前記ＲＡＭ３３０に記憶されている度数を前記変換した入金度数に更新し、該更新した度数を前記度数表示部３０９並びに度数表示部１７に表示することで、遊技者は更新された度数に基づく前記貸出処理の実施が行えるようになる。
【０２０６】
また、前記制御ユニット３２８への更新完了の出力後においてカードリーダライタ３２７は、前記にてＣＣＤカメラ３１８により撮像されてＲＡＭ３３０に一時記憶されている撮像データを制御ユニット３２８から入手し、該撮像データと装置ＩＤとカードＩＤとを含む入金完了通知をシステムコントローラ１００に送信する。
【０２０７】
このカードユニット３からの入金完了通知の受信に基づいて、システムコントローラ１００は、カードユニット３における入金処理が完了したものと判定し、図３１に示すカード使用履歴テーブルに、該入金完了通知の受信時刻を使用時刻として記録するとともに、入金完了通知に含まれるカードＩＤが「カードＩＤ」の項目に、「処理種別」の項目には入金が、「処理度数」には当該カードユニット３から受信した前記入金情報に含まれる入金度数が、「受付け金種」には前記入金情報に含まれる受付け金種の金額が、「処理装置」には入金完了通知に含まれる装置ＩＤが、該入金完了通知の受信に基づいて処理状況には「正常」が記憶される。
【０２０８】
更にシステムコントローラ１００は、該カード使用履歴テーブルに記憶した新たな入金履歴に記憶されている受付け金種の金額が、前記記録条件設定画面（図３２参照）にて高額貨幣受付けの高額定義に設定されている所定金額（本実施例３では５０００円）以上であるか否かを判定し、所定金額（本実施例３では５０００円）以上である場合において、前記入金完了通知に含まれている撮像データへのパスデータを、新たに記憶した入金履歴に対応付けて「撮像画像」の項目に記憶することで、カードユニット３にて撮像された撮像データと高額貨幣受付けに該当する入金履歴とが対応付けて記憶、管理されるようになっている。
【０２０９】
また、本実施例３でも、入金装置２１に図示しないＣＣＤカメラを設けており、該入金装置２１にてカードユニット３における入金の場合と同様に、貨幣の受付けに基づいて撮像が実施され、入金完了通知に該撮像された撮像データが含まれて送信されて、図３１に示すカード使用履歴テーブルに入金履歴に対応付けて該画像データへのパスデータが記憶、管理されるようになっている。
【０２１０】
次いで、本実施例３のシステムコントローラ１００と発行処理を行う遊技用装置としてのカード発行機２３との間における発行処理に関する処理内容について、図３０を用いて説明すると、まず遊技者が新規にビジターカード３８の発行を受ける場合には、発行に供したい所望の金額以上の紙幣を紙幣挿入口４０４より挿入する。
【０２１１】
この挿入された紙幣は、前記紙幣識別ユニット４１６により識別され、該投入紙幣の識別結果が真券（正規の貨幣）である場合には、紙幣種別の情報を含む識別情報がＭＰＵ４２３に出力されることに基づきＭＰＵ４２３は、挿入された紙幣の合計金額を算出して前記金額表示部４０７に表示するとともに、前記記憶部４２１に一時記憶する。
【０２１２】
この状態で発行額選択ボタン４０８における発行額（１０００円、３０００円、５０００円、１００００円のいずれか一つ）が選択入力されると、前記ＭＰＵ４２３は、前記選択入力されたビジターカード３８の発行額を特定し、該特定した発行額を度数（発行度数）に変換する。
【０２１３】
次いで発行するビジターカード３８をＩＣカードリーダライタ４１５にセットし、該ビジターカード３８のメモリチェックを実施した後、これらチェックにおいて異常がなければカードＩＤを読み出し、該読み出したカードＩＤと前記紙幣識別ユニット４１６によって正規の紙幣と識別された紙幣種別の中で最も金額の大きな紙幣の金種を特定可能な情報である受付け貨幣金種と、発行度数と、装置ＩＤ並びに発行許諾要求とを含む発行情報を前記システムコントローラ１００に送信するとともに、前記ＣＣＤカメラ４２５，４２６により撮像を実施して該撮像画像のデータを一時記憶した後、システムコントローラ１００からの発行許諾の受信待ちとなる。
【０２１４】
前記発行情報の受信に基づいて管理コンピュータ１００は、受信したカードＩＤが使用不可に登録されていないか等を確認した後、プリペイドＩＤを生成するとともに、該生成したプリペイドＩＤと発行度数とをカードマスターテーブルに登録する。
【０２１５】
このシステムコントローラ１００から発行許諾が返信された場合にＭＰＵ４２３は、前記ＩＣカードリーダライタ４１５にセットしたビジターカード３８に前記変換した発行度数と、該発行許諾とともに受信したプリペイドＩＤとを記録した後、カード発行口４０２より排出・発行する。この際、前記識別された紙幣は紙幣識別ユニット４１６に連設された紙幣ストッカ（図示略）に回収される。
【０２１６】
また、前記挿入された紙幣の合計金額が、発行したビジターカード３８の発行額を上回る場合においてＭＰＵ４２３は、前記合計金額より発行額を減算した釣り銭金額を算出し、前記紙幣払出ユニット４１９により前記算出した釣り銭金額分の紙幣を前記紙幣排出口４１３より排出する。
【０２１７】
これらの発行処理の完了に基づいてＭＰＵ４２３は、前記にてＣＣＤカメラ４２５，４２６により撮像し一時記憶した撮像データと装置ＩＤと発行したカードＩＤとを含む発行完了通知をシステムコントローラ１００に送信した後、新たな貨幣受付けの待機状態に移行する。
【０２１８】
このカード発行機２３からの発行完了通知の受信に基づいて、システムコントローラ１００は、ビジターカード３８の発行が完了したものと判定し、図３１に示すカード使用履歴テーブルに、該発行完了通知の受信時刻を使用時刻として記録するとともに、発行完了通知に含まれるカードＩＤが「カードＩＤ」の項目に、「処理種別」の項目には発行が、「処理度数」には当該カード発行機２３から受信した前記発行情報に含まれる発行度数が、「受付け金種」には前記発行情報に含まれる受付け金種の金額が、「処理装置」には発行完了通知に含まれる装置ＩＤが、該発行完了通知の受信に基づいて処理状況には「正常」が記憶される。
【０２１９】
更にシステムコントローラ１００は、該カード使用履歴テーブルに記憶した新たな発行履歴に記憶されている受付け金種の金額が、前記記録条件設定画面（図３２参照）にて高額貨幣受付けの高額定義に設定されている所定金額（本実施例３では５０００円）以上であるか否かを判定し、所定金額（本実施例３では５０００円）以上である場合において、前記発行完了通知に含まれている撮像データへのパスデータを、新たに記憶した発行履歴に対応付けて「撮像画像」の項目に記憶することで、カード発行機２３にて撮像された撮像データと高額貨幣受付けに該当する発行履歴とが対応付けて記憶、管理されるようになっている。
【０２２０】
これら図３１に示すカード使用履歴テーブルに記憶、管理された撮像データは、システムコントローラ１００に設けられている図示しない「高額貨幣受付け履歴表示」の選択操作部を選択入力することで、前記カード使用履歴テーブル（本日分）に登録された入金、発行履歴の内、画像データへのパスデータが記憶されている入金、発行履歴が全て抽出されるとともに、その入金履歴または発行履歴に含まれる装置ＩＤ毎に入金履歴または発行履歴がまとめられて、図３３に示す高額貨幣受付け履歴画面に示すように、各装置ＩＤ毎にまとめられた入金履歴または発行履歴が各履歴に記録された処理時間順に、各処理時間に対応付けてその入金履歴または発行履歴に対応して記録されている受付け金種と画像データへのリンクが表示装置１０７に表示されるようになっているとともに、プリンタ１０８にて印刷出力できるようになっていて、これら各高額受付け時刻に対応して表示された「画像」の表示を選択することで、その入金或いは発行時に撮像された画像を表示装置１０７に簡便に表示させることができるようになっている。
【０２２１】
また、前記画像データへのパスデータの記憶を有する入金履歴或いは発行履歴の登録があった場合にシステムコントローラ１００は、当該入金履歴或いは発行履歴に記憶されている装置ＩＤと同一の装置ＩＤが記録され、且つ画像データへのパスデータの記憶を有する入金履歴或いは発行履歴をカード使用履歴テーブルから抽出し、該抽出した入金履歴或いは発行履歴に基づいて該装置ＩＤのカードユニット３、入金装置２１、或いはカード発行機２３において、図３２の記録条件設定画面の要注意報知条件設定の設定条件である、所定期間である３時間以内において高額貨幣受付けが所定回数である５回以上実施されたか否かを、当該装置ＩＤが記憶され、且つ画像データへのパスデータの記憶された入金履歴或いは発行履歴の数が、３時間以内に５以上存在するか否かを集計することで判定し、５以上存在する場合には、図３４に示すように、カードユニット３、入金装置２１、或いはカード発行機２３の当該装置ＩＤの表示を含む報知ウインドウが、システムコントローラ１００の表示装置１０７に表示されることで、該該装置ＩＤのカードユニット３、入金装置２１、或いはカード発行機２３にて要注意報知条件が成立したことを報知するようになっている。
【０２２２】
このように報知ウインドウを表示することは、所定期間内に所定回数以上の高額貨幣の受付けによる入金があったこととともに、そのカードユニット３、入金装置２１、カード発行機２３を特定可能な識別情報である装置ＩＤが報知されるので、どのカードユニット３、入金装置２１、カード発行機２３にて所定期間内に所定回数以上の高額貨幣の受付けによる発行があったかを容易に特定でき、迅速な対応を実施できるようになることから好ましいが、本発明はこれに限定されるものではなく、これら報知ウインドウによる報知を実施しない構成としても良い。
【０２２３】
また、本実施例３においては、前記発行完了通知或いは前記入金完了通知の受信に基づいて、発行履歴または入金履歴を前記カード使用履歴テーブルに一旦登録しておき、該新たに登録した発行履歴または入金履歴に記憶されている受付け金種の金額に基づいて高額貨幣受付けに該当する発行または入金であるか否かを判定し、該高額貨幣受付けに該当する場合において、前記発行完了通知或いは前記入金完了通知に含まれる画像データへのパスデータを発行履歴または入金履歴に対応付けて記憶するようにしており、このようにすることは、発行処理または入金処理における管理装置であるシステムコントローラ１００の処理負荷が、一時的に大きくなってしまうことを回避できることから好ましいが、本発明はこれに限定されるものではなく、前記高額貨幣受付けに該当する発行または入金であるか否かの判定を、発行情報や入金情報に基づいて発行処理時または入金処理時において実施するようにしても良い。
【０２２４】
以上説明したように、本実施例３の遊技用システムを用いることで、前記価値加算処理である入金処理を行う遊技用装置であるカードユニット３や入金装置２１、或いは前記発行処理を行う遊技用装置であるカード発行機２３にて予め定められた所定額以上の高額貨幣を使用した操作者の画像のみが、画像記憶手段であるシステムコントローラ１００のカード使用履歴テーブルに記憶されるので、不正な入金を行った不審者或いは偽貨幣を使用した不審者は、通常において高額の紙幣を使用することから、これらの不審者を含む高額貨幣利用者の画像が、撮像されて管理装置に記録されることで、これらの不審者の特定に役立てることができる。
【０２２５】
前記各実施例における各要素は、本発明に対して以下のように対応している。本発明の請求項１は、貨幣を受付け該受付け貨幣の金額を識別する貨幣識別手段（紙幣識別ユニット３２２）と、遊技に使用可能な遊技用価値（度数）の大きさを特定可能な遊技用価値特定情報（プリペイドＩＤ）が記録された遊技用記録媒体（会員カード３７、ビジターカード３８）の記録情報を読み出す読出し手段（カードリーダライタ３２７）と、前記貨幣識別手段（紙幣識別ユニット３２２）により識別された受付け貨幣金額の範囲内の所定額に相当する遊技用価値（度数）の大きさを前記読出し手段（カードリーダライタ３２７）により読み出された前記遊技用価値特定情報（プリペイドＩＤ）により特定される遊技用価値（度数）の大きさに加算する価値加算手段（カードリーダライタ３２７、制御ユニット３２８）と、を有する遊技用装置（カードユニット３、入金装置２１）と、該遊技用装置（カードユニット３、入金装置２１）の操作者を、該遊技用装置（カードユニット３、入金装置２１）における貨幣の受付けに基づいて撮像するための撮像装置（カードユニット３、ＣＣＤカメラ３１８）と、前記貨幣識別手段（紙幣識別ユニット３２２）により識別された受付け貨幣の金額が予め定められた所定額以上のときに、当該貨幣の受付けに基づいて前記撮像装置（カードユニット３、ＣＣＤカメラ３１８）にて撮像された撮像画像を送信するための処理を行う画像送信処理手段（システムコントローラ１００）と、該画像送信処理手段（システムコントローラ１００）による処理に基づいて前記撮像装置（カードユニット３、ＣＣＤカメラ３１８）から送信されてきた撮像画像を記憶する記憶装置（システムコントローラ１００）と、を備える。
【０２２６】
本発明の請求項２は、遊技に使用可能な遊技用価値（度数）の大きさを特定可能な遊技用価値特定情報（プリペイドＩＤ）が記録された遊技用記録媒体（会員カード３７、ビジターカード３８）および貨幣を受付けて、該受付け貨幣金額の範囲内の所定額に相当する遊技用価値（度数）の大きさを前記遊技用記録媒体（会員カード３７、ビジターカード３８）の遊技用価値特定情報（プリペイドＩＤ）より特定される遊技用価値（度数）の大きさに加算する価値加算処理を行う遊技用装置（カードユニット３、入金装置２１）と、該遊技用装置（カードユニット３、入金装置２１）と通信可能であって、該遊技用装置（カードユニット３、入金装置２１）における貨幣の受付けに関する情報を収集・管理する管理装置（システムコントローラ１００）と、前記遊技用装置（カードユニット３、入金装置２１）の操作者を、前記遊技用装置（カードユニット３、入金装置２１）における貨幣の受付けに基づいて撮像し、該撮像画像を前記管理装置に送信する撮像装置（ＣＣＤカメラ３１８）と、を備え、前記遊技用装置（カードユニット３、入金装置２１）は、受付けた貨幣を識別し、受付け貨幣の金額を特定可能な情報を前記管理装置（システムコントローラ１００）に送信する貨幣識別手段（紙幣識別ユニット３２２）を有し、前記管理装置（システムコントローラ１００）は、前記遊技用装置（カードユニット３、入金装置２１）において受付けた受付け貨幣の金額と、該貨幣受付けに基づいて前記撮像装置（ＣＣＤカメラ３１８）から送信されてきた撮像画像とを含む貨幣受付け履歴を管理する貨幣受付け履歴管理手段（記憶装置１０５、カード使用履歴テーブル）と、該貨幣受付け履歴に基づいて、受付け貨幣金額が予め定められた所定額以上である貨幣受付け履歴に対応して前記貨幣受付け履歴管理手段（記憶装置１０５、カード使用履歴テーブル）に管理されている撮像画像を抽出する抽出手段（ＣＰＵ１０２）と、を有する。
【０２２７】
本発明の請求項３は、遊技に使用可能な遊技用価値（度数）の大きさを特定可能な遊技用価値特定情報（プリペイドＩＤ）が記録された遊技用記録媒体（会員カード３７、ビジターカード３８）および貨幣を受付けて、該受付け貨幣金額の範囲内の所定額に相当する遊技用価値（度数）の大きさを前記遊技用記録媒体（会員カード３７、ビジターカード３８）の遊技用価値特定情報（プリペイドＩＤ）より特定される遊技用価値（度数）の大きさに加算する価値加算処理を行う遊技用装置（カードユニット３、入金装置２１）と、該遊技用装置（カードユニット３、入金装置２１）と通信可能であって、該遊技用装置（カードユニット３、入金装置２１）における貨幣の受付けに関する情報を収集・管理する管理装置（システムコントローラ１００）と、前記遊技用装置（カードユニット３、入金装置２１）の操作者を、前記遊技用装置（カードユニット３、入金装置２１）における貨幣の受付けに基づいて撮像し、該撮像画像を前記管理装置（システムコントローラ１００）に送信する撮像装置（ＣＣＤカメラ３１８）と、を備え、前記遊技用装置（カードユニット３、入金装置２１）は、受付けた貨幣を識別し、受付け貨幣の金額を特定可能な情報を前記管理装置に送信する貨幣識別手段（紙幣識別ユニット３２２）を有し、前記管理装置（システムコントローラ１００）は、前記貨幣識別手段（紙幣識別ユニット３２２）から送信されてきた受付け貨幣の金額を特定可能な情報に基づいて特定される受付け貨幣金額が予め定められた所定額以上であるときに、前記撮像装置（ＣＣＤカメラ３１８）から送信されてきた当該貨幣受付けに基づいて撮像された撮像画像を記憶する画像記憶手段（システムコントローラ１００）と、を有する。
【０２２８】
本発明の請求項４は、貨幣を受付け該受付け貨幣の金額を識別する貨幣識別手段（紙幣識別ユニット４１６）と、該貨幣識別手段（紙幣識別ユニット４１６）により識別された受付け貨幣金額の範囲内の所定額に相当する遊技用価値（度数）の大きさを特定可能な遊技用価値特定情報（プリペイドＩＤ）が記録された遊技用記録媒体（ビジターカード３８）を発行する発行手段（ＩＣカードリーダライタ４１５、ＭＰＵ４２３）と、を有する遊技用装置（カード発行機２３）と、該遊技用装置（カード発行機２３）の操作者を、前記遊技用装置（カード発行機２３）における貨幣の受付けに基づいて撮像するための撮像装置（ＣＣＤカメラ４２５、４２６）と、前記貨幣識別手段（紙幣識別ユニット４１６）により識別された受付け貨幣の金額が予め定められた所定額以上のときに、当該貨幣の受付けに基づいて前記撮像装置（カード発行機２３、ＣＣＤカメラ４２５、４２６）にて撮像された撮像画像を送信するための画像送信処理手段（システムコントローラ１００）と、該画像送信処理手段（システムコントローラ１００）による処理に基づいて前記撮像装置（カード発行機２３、ＣＣＤカメラ４２５、４２６）から送信されてきた撮像画像を記憶する記憶装置（システムコントローラ１００）と、を備える。
【０２２９】
本発明の請求項５は、貨幣を受付けて、該受付け貨幣金額の範囲内の所定額に相当する遊技用価値（度数）の大きさを特定可能な遊技用価値特定情報（プリペイドＩＤ）が記録された遊技用記録媒体（ビジターカード３８）を発行する発行処理を行う遊技用装置（カード発行機２３）と、該遊技用装置（カード発行機２３）と通信可能であって、該遊技用装置（カード発行機２３）における貨幣の受付けに関する情報を収集・管理する管理装置（システムコントローラ１００）と、前記遊技用装置（カード発行機２３）の操作者を、前記遊技用装置（カード発行機２３）における貨幣の受付けに基づいて撮像し、該撮像画像を前記管理装置（システムコントローラ１００）に送信する撮像装置（ＣＣＤカメラ４２５、４２６）と、を備え、前記遊技用装置（カード発行機２３）は、受付けた貨幣を識別し、受付け貨幣の金額を特定可能な情報を前記管理装置（システムコントローラ１００）に送信する貨幣識別手段（紙幣識別ユニット４１６）を有し、前記管理装置（システムコントローラ１００）は、前記遊技用装置（カード発行機２３）において受付けた受付け貨幣の金額と、該貨幣受付けに基づいて前記撮像装置（ＣＣＤカメラ４２５、４２６）から送信されてきた撮像画像とを含む貨幣受付け履歴を管理する貨幣受付け履歴管理手段（記憶装置１０５；カード使用履歴テーブル）と、該貨幣受付け履歴に基づいて、受付け貨幣金額が予め定められた所定額以上である貨幣受付け履歴に対応して前記貨幣受付け履歴管理手段（記憶装置１０５；カード使用履歴テーブル）に管理されている撮像画像を抽出する抽出手段（ＣＰＵ１０２）と、を有する。
【０２３０】
本発明の請求項６は、貨幣を受付けて、該受付け貨幣金額の範囲内の所定額に相当する遊技用価値（度数）の大きさを特定可能な遊技用価値特定情報（プリペイドＩＤ）が記録された遊技用記録媒体（ビジターカード３８）を発行する発行処理を行う遊技用装置（カード発行機２３）と、該遊技用装置（カード発行機２３）と通信可能であって、該遊技用装置（カード発行機２３）における貨幣の受付けに関する情報を収集・管理する管理装置（システムコントローラ１００）と、前記遊技用装置（カード発行機２３）の操作者を、前記遊技用装置（カード発行機２３）における貨幣の受付けに基づいて撮像し、該撮像画像を前記管理装置（システムコントローラ１００）に送信する撮像装置（ＣＣＤカメラ４２５、４２６）と、を備え、前記遊技用装置（カード発行機２３）は、受付けた貨幣を識別し、受付け貨幣の金額を特定可能な情報を前記管理装置（カードユニット１００）に送信する貨幣識別手段（紙幣識別ユニット４１６）を有し、前記管理装置（カードユニット１００）は、前記貨幣識別手段（紙幣識別ユニット４１６）から送信されてきた受付け貨幣の金額を特定可能な情報に基づいて特定される受付け貨幣金額が予め定められた所定額以上であるときに、前記撮像装置（ＣＣＤカメラ４２５、４２６）から送信されてきた当該貨幣受付けに基づいて撮像された撮像画像を記憶する画像記憶手段（記憶装置１０５；カード使用履歴テーブル）と、を有する。
【０２３１】
本発明の請求項７は、前記撮像装置（ＣＣＤカメラ３１８、４２５、４２６）を前記遊技用装置（カードユニット３、入金装置２１、カード発行機２３）に有する。
【０２３２】
本発明の請求項８は、前記画像送信処理手段（システムコントローラ１００）は、前記貨幣識別手段（紙幣識別ユニット３２２，４１６）により識別された受付け貨幣の金額が、予め設定された所定金額以上のときに、前記撮像装置（カードユニット３、ＣＣＤカメラ３１８、カード発行機２３、ＣＣＤカメラ４２５、４２６）に対して当該貨幣の受付けに基づいて撮像された撮像画像の送信を指示する。
【０２３３】
以上、本発明の実施形態を図面により前記各実施例にて説明してきたが、本発明はこれら各実施例に限定されるものではなく、本発明の主旨を逸脱しない範囲における変更や追加があっても本発明に含まれることは言うまでもない。
【０２３４】
例えば、前記各実施例では、管理装置または記録装置であるシステムコントローラ１００に撮像画像を記憶するようにしているが、本発明はこれに限定されるものではなく、図３５に示すように、これら撮像画像を記憶するための撮像画像用コンピュータ１４０を個別に設けるようにしても良い。
【０２３５】
また、前記各実施例では、送信条件や抽出条件、記録条件の設定変更を管理装置または記録装置であるシステムコントローラ１００にて実施できるようにしているが、本発明はこれに限定されるものではなく、これらの送信条件や抽出条件、記録条件の変更を前記管理サーバ１２や会員管理コンピュータ１２０にて実施できるようにしても良い。
【０２３６】
また、前記各実施例では、前記カード会社の管理サーバ１２から通信回線を介してブラックリストやあみかけリストを前記システムコントローラ１００が受付けて該リストに登録されている会員カード３７の使用を不可とするようにしているが、本発明はこれに限定されるものではない。また、これらブラックリストやあみかけリストに該当する会員カード３７の使用があった場合において、該使用を前記管理サーバ１２に送信すること等は任意とされる。
【０２３７】
また、前記各実施例の遊技用システムでは、価値加算処理を行う遊技用装置としてカードユニット３と入金装置２１とを設けているが、本発明はこれに限定されるものではなく、価値加算処理を行う遊技用装置を入金装置２１としてカードユニット３から価値加算処理機能を省いた構成としても良いし、或いは、入金装置２１を省いた構成としても良い。
【０２３８】
また、前記各実施例では、発行装置として個別とされたカード発行機２３を使用しているが、これらビジターカード３８の発行を、カードユニット３や入金装置２１にて実施できるようにしても良い。
【０２３９】
また、前記各実施例では、会員管理コンピュータ１２０が会員の貯蓄玉数を管理し、前記カードユニット３にてプレイ選択ボタンを選択することで、貯蓄玉数による遊技を実施できるようにしているが、本発明はこれに限定されるものではなく、これら貯蓄玉数による遊技を実施できないものであっても良い。
【０２４０】
また、前記各実施例の遊技用システムでは、システムコントローラ１００並びに会員管理コンピュータ１２０と各カードユニット３とを有線のＬＡＮにて接続しているが、本発明はこれに限定されるものではなく、これらの通信形態は無線でも赤外線であっても電源ケーブルを用いたものであっても良く、双方向のデータ通信が可能なものであれば適用可能なことは言うまでもない。
【０２４１】
また、前記各実施例では、発行装置であるカード発行機２３に２つのＣＣＤカメラ４２５，４２６を上下位置に設けているが、本発明はこれに限定されるものではなく、これら撮像装置であるＣＣＤカメラの個数や配置位置等は適宜に選択すれば良い。
【０２４２】
また、前記各実施例においては、遊技用価値である度数の大きさを特定可能な情報である遊技用価値特定情報として会員カード３７およびビジターカード３８にプリペイドＩＤとともに度数も記録するようにしているが、本発明はこれに限定されるものではなく、これら遊技用価値特定情報としては、前記したプリペイドＩＤ及び度数のいずれか一方としても良い。また、これらプリペイドＩＤを前記会員ＩＤやカードＩＤにて代用するようにして、該会員ＩＤやカードＩＤを遊技用価値特定情報として用いるようにしても良い。
【０２４３】
また、前記各実施例のカードユニット３では、会員カード３７により特定される貯蓄玉数を再プレイに使用する際に、暗証番号の入力を受付けて本人確認を実施するようになっているが、本発明はこれに限定されるものではなく、特に暗証番号を受付けずに貯蓄玉数を再プレイに使用できるようにしても良いし、会員カード３７を受付けた際に暗証番号を受付けるようにしても良い。
【０２４４】
また、前記各実施例のカードユニット３では、１０００円紙幣、２０００円紙幣、５０００円紙幣、１００００円紙幣、１００円硬貨、５００円硬貨を受付け、会員カード３７およびビジターカード３８への入金処理が実施できるようになっているが、本発明はこれに限定されるものではなく、例えば、紙幣のみまたは硬貨のみを受付けてこれら入金処理ができるようになっていても良いし、１回の入金処理において複数の貨幣を受付けて追加入金できるようにしても良い。
【０２４５】
また、前記各実施例の遊技用システムでは、会員カード３７或いはビジターカード３８により特定される遊技用価値としての度数が該会員カード３７或いはビジターカード３８とシステムコントローラ１００との双方に記録または登録され、どちらの情報からも度数を特定できるようになっているが、本発明はこれに限定されるものではなく、会員カード３７或いはビジターカード３８のみに度数を記録するようにしても良いし、システムコントローラ１００または前記管理サーバ１２にのみ度数を登録し、前記会員カード３７或いはビジターカード３８の会員ＩＤ或いはカードＩＤ等の識別情報を読み出すことにより、前記登録されている度数を特定するようにしても良い。
【０２４６】
また、前記各実施例では、会員カード３７により特定される遊技用価値としての度数が入金処理毎に付与されるプリペイドＩＤに対応付けて度数を登録し、管理されるようになっているが、本発明はこれに限定されるものではなく、例えば、これら遊技用価値としての度数が、会員カード３７の会員ＩＤに対応付けてシステムコントローラ１００に登録され、管理されるようになっていても良い。
【０２４７】
また、前記各実施例では、遊技用記録媒体（会員カード３７、ビジターカード３８）として非接触型のＩＣカードを用いているが、本発明はこれに限定されるものではなく、これを磁気カードや接触型のＩＣカードとしても良いし、更には識別符号を用いて記録情報を特定できる場合等には、遊技用記録媒体を特定可能な識別符号等の情報を少なくとも読み取り可能に記録できるものであれば良く、例えばバーコード等の所定の情報記録シンボル等が読み取り可能にプリントされた記録媒体等であっても良い。
【０２４８】
また、前記各実施例に用いた遊技用記録媒体（会員カード３７、ビジターカード３８）の形状はカード状とされているが、本発明はこれに限定されるものではなく、例えば円盤形状や球状、チップ状等その他の形状とされていても良い。
【０２４９】
また、前記各実施例に用いた会員カード３７並びにビジターカード３８は、所定の遊技場内においてのみ使用可能とされているが、本発明はこれに限定されるものではなく、複数の遊技場において使用可能とされた共通会員カードとして使用するようにしても良い。
【０２５０】
また前記各実施例では、遊技機であるパチンコ機２において使用される遊技用価値の形態として度数や該度数に相当する金額を用いているが、本発明はこれに限定されるものではなく、これら遊技用価値を所定のポイントや相当するパチンコ玉数やコイン数としても良く、その形態は任意に選択すれば良い。
【０２５１】
また前記各実施例では、遊技機であるパチンコ機２に使用される遊技媒体としてパチンコ玉を用いているが、これら遊技媒体をコインや点数、更には後述する画像式のパチンコ機やスロットマシン等における画像にて形成されたパチンコ玉やコイン等としても良く、これら遊技媒体は遊技において使用される媒体であれば、本発明の遊技媒体に含まれるものであり、その形態が限定されるものではない。
【０２５２】
また前記各実施例においては、遊技機として、カードユニット３のカードを使用して自らパチンコ玉の払出を実施するカードリーダ式パチンコ機２を用いているが、本発明はこれらカードリーダ式パチンコ機２のみならず、前述のカード式玉貸ユニット等からパチンコ玉の供給を受けて遊技を実施可能なパチンコ機や、コインを用いて遊技を行うスロットマシンやパチンコ玉を用いて遊技を行うパチロット遊技機や、パチンコ玉やコインが外部に排出されることなく遊技可能な封入式のパチンコ機や完全クレジット式のスロットマシン、さらにはこれら遊技媒体を用いずにデータ等により遊技可能な遊技機や、遊技盤やパチンコ玉が画像にて表示される画像式のパチンコ機や、リールが画像にて表示される画像式のスロットマシンやパチロットにも適用可能であることはいうまでもなく、これら遊技機が限定されるものではない。
【０２５３】
また、前記各実施例においては、入金処理を会員カード３７並びにビジターカード３８の残度数が「０」の場合において、入金処理を実施できるようにしているが、本発明はこれに限定されるものではなく、これら入金を例えば、残度数が１０００円に相当する１０度数以下の場合に入金可能したり、入金後の上限に定めて、残度数に拘わらず入金可能としても良い。
【０２５４】
また、前記各実施例のカードユニット３においては、受付け貨幣金額の全額を入金処理に供することとされているが、本発明はこれに限定されるものではなく、遊技者が入金額を選択し、受付け貨幣金額と入金額との差額を釣銭として返却するようにしても良い。
【０２５５】
また、前記遊技用装置であるカード発行機２３、カードユニット３、入金装置２１における撮像タイミングに関しては、前記実施例１〜３に限定されるものではなく、遊技用装置であるカード発行機２３、カードユニット３、入金装置２１における貨幣の受付けに基づいて、該貨幣の受付け時であっても良いし、或いは貨幣識別時であっても良いし、或いは、価値加算である入金時やカードの発行時であっても良く、各発行処理または入金処理における操作者を撮像できるタイミングであれば良い。
【０２５６】
【発明の効果】
本発明は次の効果を奏する。
（ａ）請求項１の発明によれば、前記価値加算処理を行う遊技用装置にて予め定められた所定額以上の高額貨幣を使用した操作者の画像が、前記記憶装置に記憶されるので、不正な入金を行った不審者或いは偽貨幣を使用した不審者は、通常において高額の紙幣を使用することから、これらの不審者を含む高額貨幣利用者の画像が、撮像されて記憶装置に送信されて記憶されることで、これらの不審者の特定に役立てることができる。
【０２５７】
（ｂ）請求項２の発明によれば、前記価値加算処理を行う遊技用装置にて予め定められた所定額以上の高額貨幣を使用した操作者の画像が、前記価値加算処理履歴管理手段に記憶されている撮像画像の中から前記抽出手段により抽出されるので、不正な入金を行った不審者或いは偽貨幣を使用した不審者は、通常において高額の紙幣を使用することから、これらの不審者を含む高額貨幣利用者の画像が抽出されることで、これらの不審者の特定に役立てることができる。
【０２５８】
（ｃ）請求項３の発明によれば、前記価値加算処理を行う遊技用装置にて予め定められた所定額以上の高額貨幣を使用した操作者の画像のみが、前記画像記憶手段に記憶されるので、不正な入金を行った不審者或いは偽貨幣を使用した不審者は、通常において高額の紙幣を使用することから、これらの不審者を含む高額貨幣利用者の画像が、撮像されて管理装置に記憶されることで、これらの不審者の特定に役立てることができる。
【０２５９】
（ｄ）請求項４の発明によれば、前記発行処理を行う遊技用装置にて予め定められた所定額以上の高額貨幣を使用した操作者の画像が、前記記憶装置に記憶されるので、不正な発行を行った不審者或いは偽貨幣を使用した不審者は、通常において高額の紙幣を使用することから、これらの不審者を含む高額貨幣利用者の画像が、撮像されて記憶装置に送信されて記憶されることで、これらの不審者の特定に役立てることができる。
【０２６０】
（ｅ）請求項５の発明によれば、前記発行処理を行う遊技用装置にて予め定められた所定額以上の高額貨幣を使用した操作者の画像が、前記価値加算処理履歴管理手段に記憶されている撮像画像の中から前記抽出手段により抽出されるので、不正な発行を行った不審者或いは偽貨幣を使用した不審者は、通常において高額の紙幣を使用することから、これらの不審者を含む高額貨幣利用者が撮像されることで、これらの不審者の特定に役立てることができる。
【０２６１】
（ｆ）請求項６の発明によれば、前記発行処理を行う遊技用装置にて予め定められた所定額以上の高額貨幣を使用した操作者の画像のみが、前記画像記憶手段に記憶されるので、不正な発行を行った不審者或いは偽貨幣を使用した不審者は、通常において高額の紙幣を使用することから、これらの不審者を含む高額貨幣利用者の画像が、撮像されて管理装置に記憶されることで、これらの不審者の特定に役立てることができる。
【０２６２】
（ｇ）請求項７の発明によれば、遊技場に既設の監視カメラにて撮像する場合等に比べ、撮像対象者を近くから確実かつ鮮明に撮像できる。
【０２６３】
（ｈ）請求項８の発明によれば、前記撮像装置にて撮像された撮像データを確実に前記記憶装置に記憶することができる。
【図面の簡単な説明】
【図１】本発明の実施例１における遊技用システムの構成を示す図である。
【図２】（ａ）は、本発明の実施例１に用いた会員カードを示す正面図であり、（ｂ）は、ビジターカードを示す正面図である。
【図３】本発明の実施例１において用いたパチンコ機並びにカードユニットの正面図である。
【図４】本発明の実施例１におけるパチンコ機の操作部を示す平面図である。
【図５】本発明の実施例１におけるカードユニットの一部破断側面図並びに背面図である。
【図６】本発明の実施例１におけるカードユニット並びにパチンコ機の構成を示すブロック図である。
【図７】本発明の実施例１におけるシステムコントローラの構成を示すブロック図である。
【図８】（ａ）（ｂ）（ｃ）は、本発明の実施例１に用いたシステムコントローラにおけるカード管理ＤＢを構成する会員属性情報テーブル、カードマスターテーブル、カードユニット別データテーブルの登録状況を示す図である。
【図９】本発明の実施例１に用いたシステムコントローラにおけるカード使用履歴テーブルを示す図である。
【図１０】本発明の実施例１に用いたシステムコントローラにおける会員遊技履歴テーブルを示す図である。
【図１１】本発明の実施例１におけるシステムコントローラにおける各種機能の説明図である。
【図１２】本発明の実施例１におけるシステムコントローラにおける各種機能の選択において表示される機能選択画面を示す図である。
【図１３】本発明の実施例１におけるシステムコントローラにおける出力例である各カードユニット毎の個別売上画面である。
【図１４】本発明の実施例１における会員管理コンピュータとシステムコントローラと管理サーバとの連携の状況を示す説明図である。
【図１５】本発明の実施例１における会員管理コンピュータの構成を示すブロック図である。
【図１６】本発明の実施例１に用いた遊技用システムを構成する各機器の処理状況を示す図である。
【図１７】本発明の実施例１に用いたカード発行機を示す外観斜視図である。
【図１８】本発明の実施例１に用いたカード発行機の構成を示すブロック図である。
【図１９】本発明の実施例１に用いた遊技用システムにおけるカード発行機とシステムコントローラとの発行処理における処理状況を示す説明図である。
【図２０】本発明の実施例１に用いたシステムコントローラの表示装置に表示される送信条件設定画面を示す図である。
【図２１】本発明の実施例１に用いたシステムコントローラの表示装置に表示される高額貨幣受付け履歴画面を示す図である。
【図２２】本発明の実施例１に用いたシステムコントローラの表示装置に表示される高額貨幣受付け履歴画面に重複表示される報知ウインドウを示す図である。
【図２３】本発明の実施例２に用いた遊技用システムを構成する各機器の処理状況を示す図である。
【図２４】本発明の実施例２に用いた遊技用システムにおけるカード発行機とシステムコントローラとの発行処理における処理状況を示す説明図である。
【図２５】本発明の実施例２に用いたシステムコントローラにおけるカード使用履歴テーブルを示す図である。
【図２６】本発明の実施例２に用いたシステムコントローラの表示装置に表示される抽出条件設定画面を示す図である。
【図２７】本発明の実施例２に用いたシステムコントローラの表示装置に表示される高額貨幣受付け履歴画面を示す図である。
【図２８】本発明の実施例２に用いたシステムコントローラの表示装置に表示される高額貨幣受付け履歴画面に重複表示される報知ウインドウを示す図である。
【図２９】本発明の実施例３に用いた遊技用システムを構成する各機器の処理状況を示す図である。
【図３０】本発明の実施例３に用いた遊技用システムにおけるカード発行機とシステムコントローラとの発行処理における処理状況を示す説明図である。
【図３１】本発明の実施例３に用いたシステムコントローラにおけるカード使用履歴テーブルを示す図である。
【図３２】本発明の実施例３に用いたシステムコントローラの表示装置に表示される記録条件設定画面を示す図である。
【図３３】本発明の実施例３に用いたシステムコントローラの表示装置に表示される高額貨幣受付け履歴画面を示す図である。
【図３４】本発明の実施例３に用いたシステムコントローラの表示装置に表示される高額貨幣受付け履歴画面に重複表示される報知ウインドウを示す図である。
【図３５】その他の形態の遊技用システムの構成例を示すブロック図である。
【符号の説明】
３          カードユニット
２１        入金装置
２３        カード発行機
３７        会員カード
３８        ビジターカード
１００      システムコントローラ
１０２      ＣＰＵ
１０５      記憶装置
１１０      通信部
３１８      ＣＣＤカメラ
３２２      紙幣識別ユニット
３２７      カードリーダライタ
４２２      通信部
４２３      ＭＰＵ
４１５      ＩＣカードリーダライタ
４２５      ＣＣＤカメラ
４２６      ＣＣＤカメラ
【図１】
2004267598.tif 000003
【図２】
2004267598.tif 000004
【図３】
2004267598.tif 000005
【図４】
2004267598.tif 000006
【図５】
2004267598.tif 000007
【図６】
2004267598.tif 000008
【図７】
2004267598.tif 000009
【図８】
2004267598.tif 000010
【図９】
2004267598.tif 000011
【図１０】
2004267598.tif 000012
【図１１】
2004267598.tif 000013
【図１２】
2004267598.tif 000014
【図１３】
2004267598.tif 000015
【図１４】
2004267598.tif 000016
【図１５】
2004267598.tif 000017
【図１６】
2004267598.tif 000018
【図１７】
2004267598.tif 000019
【図１８】
2004267598.tif 000020
【図１９】
2004267598.tif 000021
【図２０】
2004267598.tif 000022
【図２１】
2004267598.tif 000023
【図２２】
2004267598.tif 000024
【図２３】
2004267598.tif 000025
【図２４】
2004267598.tif 000026
【図２５】
2004267598.tif 000027
【図２６】
2004267598.tif 000028
【図２７】
2004267598.tif 000029
【図２８】
2004267598.tif 000030
【図２９】
2004267598.tif 000031
【図３０】
2004267598.tif 000032
【図３１】
2004267598.tif 000033
【図３２】
2004267598.tif 000034
【図３３】
2004267598.tif 000035
【図３４】
2004267598.tif 000036
【図３５】
2004267598.tif 000037